(57)【要約】 【課題】データを送信する送信機能を備えた携帯機器において、無駄な電力の消費が抑制されるとともに、ユーザに意識させずにバックアップ用のデータが確実に作成される携帯機器を提供する。【解決手段】  データの送信中に電源スイッチ１９がオフ側に操作されたときにデータの送信を続行する電源オフ時送信モードへ移行する。一応、送信を行なうか行なわないかを図５（ｆ）の画面により問い合わせて、‘続ける’が選択されたら電源オフ時送信モードへ移行する。電源スイッチ１９がオフ側に操作されてデジタルカメラを持ち歩いているときにデータの送信が続行されて自宅のパーソナルコンピュータの記憶部に記録される。【選択図】図５
2007228143.tif 000002
【特許請求の範囲】
【請求項１】
データを送信する送信部を備えた携帯機器において、
電源のオン、オフを操作する電源操作部と、
前記電源操作部の電源オンの操作に応じて、この携帯機器の、電力供給を受けて動作する、前記送信部を含む各部に電力を供給するとともに、前記電源操作部の電源オフの操作に応じて前記各部への電力の供給を遮断する電力供給制御部とを備え、
前記電力供給制御部は、前記送信部がデータを送信している間は、該送信部については、前記電源操作部の電源オフの操作を受けても電力の供給を続行することにより該送信部にデータの送信を続行させ、該送信部によるデータの送信が終了した時点で該送信部への電力供給を遮断するものであることを特徴とする携帯機器。
【請求項２】
データを送信する送信部を備えた携帯機器において、
電源のオンオフを操作する電源操作部と、
前記電源操作部の電源オンの操作に応じて、この携帯機器の、電力供給を受けて動作する、前記送信部を含む各部に電力を供給するとともに、前記電源操作部の電源オフ操作に応じて前記各部への電力の供給を遮断する電力供給制御部とを備え、
前記送信部は、前記電源操作部の電源オフ操作に応じてデータの送信を開始するものであり、
前記電力供給制御部は、前記送信部については前記電源操作部の電源オフの操作を受けて電力を供給することにより該送信部にデータの送信を行なわせ、該送信部によるデータの送信が終了した時点で該送信部への電力供給を遮断するものであることを特徴とする携帯機器。
【請求項３】
前記電力供給制御部は、前記電源操作部の電源オフの操作を受けた時点で前記送信部によるデータの送信が行なわれていないときは、該送信部を含む各部への電力の供給を遮断するものであることを特徴とする請求項１記載の携帯機器。
【請求項４】
前記電力供給制御部は、前記電源操作部の電源オフの操作を受けた時点で未送信データが存在しないときは前記送信部への電力の遮断を維持するものであることを特徴とする請求項２記載の携帯機器。
【請求項５】
前記電源操作部の電源オフの操作後に前記送信部によるデータ送信を行なう電源オフ時送信モードへの移行をユーザに向けて通知する状態移行通知部を備えたことを特徴とする請求項１又は２記載の携帯機器。
【請求項６】
前記電源操作部の電源オフの操作後に前記送信部によるデータ送信を行なう電源オフ時送信モードにおけるデータ送信の完了をユーザに向けて通知する送信完了通知部を備えたことを特徴とする請求項１又は２記載の携帯機器置。
【請求項７】
前記電源操作部の電源オンの操作を受けて、前記電源操作部の、前回の電源オフ操作後に前記操作部によるデータ送信が行なわれたか否かを検出しデータ送信が行なわれた場合にデータ送信が完了したか否かを検出してユーザに向けて送信結果を通知する送信結果通知部を備えたことを特徴とする請求項１又は２記載の携帯機器。
【請求項８】
前記送信部は、データを無線で送信するものであることを特徴とする請求項１又は２記載の携帯機器。
【請求項９】
前記電源操作部の電源オフの操作後に前記送信部によるデータ送信を行なう電源オフ時送信モードにあるときに、受信感度を維持しつつ省電力を行なう省電力制御部を備えたことを特徴とする請求項８記載の携帯機器。
【請求項１０】
前記省電力制御部は、通信相手先探索のためのプローブ信号の送受信間隔を広げることにより、省電力を行なうものであることを特徴とする請求項９記載の携帯機器。
【請求項１１】
前記省電力制御部は、通信に使用する周波数を限定することにより、省電力を行なうものであることを特徴とする請求項９記載の携帯機器。
【請求項１２】
前記送信部が、この携帯機器の筐体からの突出量の少ない第１の位置と該筐体からの突出量の大きい第２の位置との間で移動自在な無線通信用のアンテナを備え、
この携帯機器が、前記電源操作部の電源オフの操作後に前記送信部によるデータ送信を行なう電源オフ時送信モードへの移行を受けて、前記アンテナを前記第１の位置へ移動させるアンテナ駆動部を備えたことを特徴とする請求項８記載の携帯機器。
【請求項１３】
前記送信部が、無線通信用の、固定されたアンテナ主放射素子と、該アンテナ主放射素子による通信の、少なくとも指向性を制御する可動なアンテナ副素子とからなるアンテナを備え、
この携帯機器が、前記電源操作部の電源オフの操作後に前記送信部によるデータ送信を行なう電源オフ時送信モードへの移行を受けて、前記アンテナ副素子を、前記アンテナ主放射素子による通信の指向性が無指向性に近付く方向に広がるように移動させるアンテナ駆動部を備えたことを特徴とする請求項８記載の携帯機器。
【請求項１４】
前記送信部が、この携帯機器の筐体からの突出量の少ない第１の位置と該筐体からの突出量の大きい第２の位置との間で移動自在であって前記第２の位置にあるときにアンテナとして作用する可動アンテナと、この携帯機器の筐体に対し固定され、該筐体に内蔵されもしくは該筐体からの突出量が前記第２の位置にある前記第１のアンテナの突出量よりも少ない固定アンテナとを備え、
この携帯機器が、前記電源操作部の電源オフの操作後に前記送信部によるデータ送信を行なう電源オフ時送信モードへの移行を受けて前記可動アンテナを前記第１の位置に移動させるアンテナ駆動部を備えたことを特徴とする請求項８記載の携帯機器。
【請求項１５】
前記送信部による通信機能を制限する通信機能制限部を備え、
前記通信機能制限部は、前記電源操作部の電源オフの操作後に前記送信部によるデータ送信を行なう電源オフ時送信モードへの移行を受けて前記送信部による送信機能の制限を解除するものであることを特徴とする請求項８記載の携帯機器。
【請求項１６】
この携帯機器が、撮影操作に応じて被写体の画像データを生成するデジタルカメラの機能を有する機器であることを特徴とする請求項１又は２記載の携帯機器。
【請求項１７】
前記送信部は、データ送信時には、未送信の画像データの全てを送信するものであることを特徴とする請求項１６記載の携帯機器。
【請求項１８】
この携帯機器が、撮影光学系と撮像素子とを備えて画像データを生成するレンズユニットと、該レンズユニットが着脱自在に装着され該レンズユニットから画像データを受け取って画像処理を行なう本体ユニットとを具備する機器であることを特徴とする請求項１又は２記載の携帯機器。
【請求項１９】
前記電源操作部は、前記本体ユニットからの前記レンズユニットの取外しを電源オフの操作とするものであることを特徴とする請求項１８記載の携帯機器。
【請求項２０】
前記送信部は、前記本体ユニットから前記レンズユニットが取り外された状態でデータ送信を行なっている途中で該レンズユニットが装着されたことを受けて、データの送信を停止するものであることを特徴とする請求項１９記載の携帯機器。
【発明の詳細な説明】
【技術分野】
【０００１】
本発明は、データを送信する送信部を備えた携帯機器に関する。
【背景技術】
【０００２】
携帯機器などの電気機器にあっては、電力供給源が商用電源であっても電池であっても機器内の電力消費を抑えるために省エネ設計が行なわれているものが多い。このため、電源スイッチのオフ操作に応じてはすぐに電力の供給が断たれて余計な電力が機器内で消費されない様になっている。
【０００３】
しかし、電源スイッチがオフ操作されてすぐに電力の供給が遮断されてしまうと、場合によっては機器内で実行されている最中の処理が中断されることによって機器内に異常が発生してしまうことがある。
【０００４】
そこで、特許文献１〜３には、処理が実行されている最中に電源スイッチのオフ操作が行なわれたしてもすぐには電力の供給を断たずに処理を続行させ処理が完了した後になってから電力の供給を断つ技術が提案されている。
【０００５】
ところで、最近の携帯機器には、データの送信機能が備えられているものが多い。この様な送信機能が備えられた携帯機器を使っているユーザの中には、その通信機能を活用して自宅のパーソナルコンピュータ等にバックアップを作成しようとする人達もいる。
【０００６】
しかしバックアップのデータ量が多いときにはどうしても送信に時間がかかるため、送信が完了したと思い込んで電源スイッチを送信の途中で切ってしまったり、電源スイッチを切り忘れてそのまま電源スイッチをオンにしたままにして持ち歩いてしまう人が出てくる。そうするとバックアップ用のデータが自宅のパーソナルコンピュータ内に記録されないうちに通信が終了していたり、携帯機器を持ち歩いているうちに電池の電力が無駄に消費されたりする。
【特許文献１】特開平１０−１３３７８６号公報
【特許文献２】特開２００１−１２８０８７号公報
【特許文献３】特開２００３−１０１７３９号公報
【発明の開示】
【発明が解決しようとする課題】
【０００７】
本発明は、上記事情に鑑み、データを送信する送信機能を備えた携帯機器において、無駄な電力の消費が抑制されるとともに、ユーザに意識させずにバックアップ用のデータが確実に外部の記録部に記録される携帯機器を提供することを目的とする。
【課題を解決するための手段】
【０００８】
上記目的を達成する本発明の第１の携帯機器は、データを送信する送信部を備えた携帯機器において、
電源のオン、オフを操作する電源操作部と、
上記電源操作部の電源オンの操作に応じて、この携帯機器の、電力供給を受けて動作する、上記送信部を含む各部に電力を供給するとともに、上記電源操作部の電源オフの操作に応じて上記各部への電力の供給を遮断する電力供給制御部とを備え、
上記電力供給制御部は、上記送信部がデータを送信している間は、その送信部については、上記電源操作部の電源オフの操作を受けても電力の供給を続行することによりその送信部にデータの送信を続行させ、その送信部によるデータの送信が終了した時点でその送信部への電力供給を遮断するものであることを特徴とする。
【０００９】
上記本発明の第１の携帯機器によれば、上記送信部によってデータが送信されている間は、上記電力供給制御部により電源操作部の電源オフの操作が受けとられたしても上記送信部への電力供給が続行され上記送信部によるデータの送信が終了した時点で上記送信部への電力供給が遮断される。
【００１０】
つまり上記電源操作部の電源オフの操作が行なわれたとしても上記送信部によるデータの送信が終了するまでは、上記送信部への電力の供給が続行され、例えば送信の相手先側にあるパーソナルコンピュータ内の記録部にバックアップ用のデータが記録されてから電力の供給が遮断される。
【００１１】
このため、送信を行なっている最中に電源オフの操作があったとしてもバックアップ用のデータがパーソナルコンピュータ内に記録されていないということがなくなる。また、送信が終了した後、電力供給が遮断されるので無駄に電力が消費される心配もない。
【００１２】
以上説明した様にデータを送信する送信機能を備えた携帯機器において、無駄な電力の消費が抑制されるとともに、ユーザに意識させずにバックアップ用のデータが確実に外部の記録部に記録される携帯機器が実現する。
【００１３】
上記目的を達成する本発明の第２の携帯機器は、データを送信する送信部を備えた携帯機器において、
電源のオンオフを操作する電源操作部と、
上記電源操作部の電源オンの操作に応じて、この携帯機器の、電力供給を受けて動作する、上記送信部を含む各部に電力を供給するとともに、上記電源操作部の電源オフ操作に応じて上記各部への電力の供給を遮断する電力供給制御とを備え、
上記送信部は、上記電源操作部の電源オフ操作に応じてデータの送信を開始するものであり、
上記電力供給制御部は、上記送信部については上記電源操作部の電源オフの操作を受けて電力を供給することによりその該送信部にデータの送信を行なわせ、その送信部によるデータの送信が終了した時点で該送信部への電力供給を遮断するものであることを特徴とする。
【００１４】
上記本発明の第２の携帯機器によれば、上記電源操作部の電源オフの操作が上記電源制御部に受けとられたときに上記送信部への電力供給が行なわれ上記送信部によるデータの送信が開始され、データの送信が終了した時点で上記送信部への電力供給が遮断される。
【００１５】
上記第２の携帯機器では電源オフの操作が送信の開始の指示になるため、ユーザは電源オン時にわざわざ送信モードに切り替えてデータの送信を行なう必要がなくなる。
【００１６】
その結果、電源オンの操作をしてこの携帯機器を使った後、電源オフの操作が行なわれたときにデータの送信が開始されてユーザが知らないうちにバックアップ用のデータが例えば自宅内のパーソナルコンピュータ内の記録部に記録される。さらに、送信が終了した後には上記電力供給制御部によって上記送信部への電力供給が自動的に遮断されるので無駄に電力が消費される心配もなくなる。
【００１７】
以上説明した様にデータを送信する送信機能を備えた携帯機器において、無駄な電力の消費が抑制されるとともに、ユーザに意識させずにバックアップ用のデータが確実に外部の記録装置に記録される携帯機器が実現する。
【００１８】
ここで、上記第１の携帯機器にあっては、上記電力供給制御部が上記電源操作部の電源オフの操作を受けた時点で上記送信部によるデータの送信が行なわれていないときは、その送信部を含む各部への電力の供給を遮断するものであることが好ましい。
【００１９】
また、上記第２の携帯機器にあっては、上記電力供給制御部が上記電源操作部の電源オフの操作を受けた時点で未送信データが存在しないときは上記送信部への電力の遮断を維持するものであることが好ましい。
【００２０】
また、上記第１又は上記第２の携帯機器にあっては、上記電源操作部の電源オフの操作後に上記送信部によるデータ送信を行なう電源オフ時送信モードへの移行をユーザに向けて通知する状態移行通知部を備えた態様であることが好ましく、また上記電源操作部の電源オフの操作後に上記送信部によるデータ送信を行なう電源オフ時送信モードにおけるデータ送信の完了をユーザに向けて通知する送信完了通知部を備えた態様であることが好ましい。
【００２１】
上記電源操作部がオフ操作された後にデータの送信が行なわれると送信部以外は動作していないのでユーザにはデータが送信されているということが良く分からない。このため上記した様な好ましい態様であると、上記電源操作部がオフされた後においても電源オフ時送信モードによる送信が行なわれていることと送信が完了したこととの双方がユーザに的確に通知される。
【００２２】
また、上記電源操作部の電源オンの操作を受けて、上記電源操作部の、前回の電源オフ操作後に上記操作部によるデータ送信が行なわれたか否かを検出しデータ送信が行なわれた場合にデータ送信が完了したか否かを検出してユーザに向けて送信結果を通知する送信結果通知部を備えた態様であることが好ましい。
【００２３】
そうすると、前回の上記電源操作部の電源オフ後に行なわれたデータの送信結果が上記電源操作部のオン操作が行なわれたときに上記送信結果通知部により通知されるため、送信の失敗等があった場合には電源オン操作後に送信のやり直しを行なうことができる。
【００２４】
ここで、上記送信部は、データを無線で送信するものであると良い。
【００２５】
そうすると、送信先からは少々離れたところからでも上記送信部によりデータの送信を行なうことができる。
【００２６】
また、上記電源操作部の電源オフの操作後に上記送信部によるデータ送信を行なう電源オフ時送信モードにあるときに、受信感度を維持しつつ省電力を行なう省電力制御部を備えた態様であることが好ましい。
【００２７】
そうすると、上記電源操作部のオフ操作を受けてからこの携帯機器が非動作状態にあるときにさらに上記省電力制御部によって上記送信部の省電力が行なわれて電力消費が抑制されてからデータの送信が行なわれるため、データの送信が行なわれたとしても余計な電力が消費されることがなくなってこの携帯機器の電力供給源例えば電池の長寿命が図られ、ひいてはランニングコストの低減が好適に図られる様になる。
【００２８】
上記省電力制御部は、通信相手先探索のためのプローブ信号の送受信間隔を広げることにより省電力を行なうものであっても、通信に使用する周波数を限定することにより、省電力を行なうものであっても良い。
【００２９】
また、上記送信部が、この携帯機器の筐体からの突出量の少ない第１の位置とその筐体からの突出量の大きい第２の位置との間で移動自在な無線通信用のアンテナを備え、
この携帯機器が、上記電源操作部の電源オフの操作後に上記送信部によるデータ送信を行なう電源オフ時送信モードへの移行を受けて、上記アンテナを上記第１の位置へ移動させるアンテナ駆動部を備えたものであることが好ましい。
【００３０】
そうすると、電源オフ時送信モードへの移行を受けてアンテナ駆動部によってアンテナが駆動され、例えばこの携帯機器の筐体からの突出量の少ない第１の位置にアンテナが配置される。電源オフ時にはユーザは携帯機器を手にもったまま、あるいはポケットに入れて持ち歩くことが多い。そのようなときにアンテナが突出しているとアンテナが何かにひっかかって壊れてしまう恐れがある。上記第１の位置にアンテナを配置するとその恐れが低まる。
【００３１】
また、上記電源操作部が電源オン側に操作されているときに送信が行なわれるときにはユーザが承知の上で送信が行なわれるため、アンテナの向きなどがユーザによって自在に調整され例えば自宅へ向けて送信が好適に行なわれる様に携帯機器の姿勢が整えられる。このため、アンテナが指向性を持っていても何も問題がない。ところが携帯機器を手に持って歩いていたり、ポケットに入れて持ち歩いたりしていると、送信先の方角が分からないため、指向性を持つアンテナであると、その指向性が示す方向以外のところにある送信先との間の通史状態が悪化して送信が行なわれなくなってしまう危険性が出てきてしまう。
【００３２】
そこで上記第１の位置にアンテナが位置しているときには、全方向に向かって一様なゲインを持つ無指向性の通信域を持つアンテナであることが望ましい。
【００３３】
これを実現するためには、上記送信部が、無線通信用の、固定されたアンテナ主放射素子と、そのアンテナ主放射素子による通信の、少なくとも指向性を制御する可動なアンテナ副素子とからなるアンテナを備え、
この携帯機器が、上記電源操作部の電源オフの操作後に上記送信部によるデータ送信を行なう電源オフ時送信モードへの移行を受けて、上記アンテナ副素子を、上記アンテナ主放射素子による通信の指向性が無指向性に近付く方向に広がるように移動させるアンテナ駆動部を備えたものであると良い。
【００３４】
また、上記送信部が、この携帯機器の筐体からの突出量の少ない第１の位置とその筐体からの突出量の大きい第２の位置との間で移動自在であって上記第２の位置にあるときにアンテナとして作用する可動アンテナと、この携帯機器の筐体に対し固定され、その筐体に内蔵されもしくはその筐体からの突出量が上記第２の位置にある上記第１のアンテナの突出量よりも少ない固定アンテナとを備え、
この携帯機器が、上記電源操作部の電源オフの操作後に上記送信部によるデータ送信を行なう電源オフ時送信モードへの移行を受けて上記可動アンテナを上記第１の位置に移動させるアンテナ駆動部を備えたものであっても良い。
【００３５】
そうすると、上記固定アンテナを無指向性アンテナにしておくことで電源オフ時には広範囲な方角に向けて通信の確立が試みられる様になる。
【００３６】
また、上記送信部による通信機能を制限する通信機能制限部を備え、
上記通信機能制限部は、上記電源操作部の電源オフの操作後に上記送信部によるデータ送信を行なう電源オフ時送信モードへの移行を受けて上記送信部による送信機能の制限を解除するものであることが好ましい。
【００３７】
そうすると、上記電源オフ時送信モードへ移行した後、通常動作時には制限が加えられていた送信部による送信機能の制限が解除され最大の能力が引き出されてからデータの送信が好適に行なわれる様になる。
【００３８】
ここで、この携帯機器が、撮影操作に応じて被写体の画像データを生成するデジタルカメラの機能を有する機器であることが好ましく、上記送信部は、データ送信時には、未送信の画像データの全てを送信するものであることが好ましい。
【００３９】
上記携帯機器がデジタルカメラである場合には、撮影により画像データが次々に記録される。そこで未送信リストを作成しておいて、データ送信時には未送信の画像データの全てを送信する様にしておくと、撮影により得られた画像データがその日のうちに確実に例えば自宅のパーソナルコンピュータ内の記録部に記録される。
【００４０】
また、この携帯機器が、撮影光学系と撮像素子とを備えて画像データを生成するレンズユニットと、そのレンズユニットが着脱自在に装着されそのレンズユニットから画像データを受け取って画像処理を行なう本体ユニットとを具備する機器であっても良い。
【００４１】
その場合には、上記電源操作部は、上記本体ユニットからの上記レンズユニットの取外しを電源オフの操作とするものであることが好ましい。
【００４２】
さらに上記送信部は、上記本体ユニットから上記レンズユニットが取り外された状態でデータ送信を行なっている途中でそのレンズユニットが装着されたことを受けて、データの送信を停止するものであるとなお良い。
【発明の効果】
【００４３】
以上、説明したように、データを送信する送信機能を備えた携帯機器において、無駄な電力の消費が抑制されるとともに、ユーザに意識させずにバックアップ用のデータが確実に作成される携帯機器が実現する。
【発明を実施するための最良の形態】
【００４４】
以下、本発明の携帯機器の一実施形態としてデジタルカメラ１を取り上げて構成および動作を説明する。
【００４５】
図１は、本発明の携帯機器の一実施形態であるデジタルカメラの外観を示す図である。
【００４６】
図１（ａ）にはデジタルカメラ１を正面斜め上方から見た斜視図が示されており、図１（ｂ）にはデジタルカメラを背面斜め上方から見た斜視図が示されている。このデジタルカメラ１は内部にあるバッテリ（後述する）からの電力を受けて動作する。
【００４７】
図１（ａ）に示すデジタルカメラ１の正面中央にはレンズ鏡胴１００が備えられていてそのレンズ鏡胴１００には撮像光学系１０が内蔵されている。またレンズ鏡胴１００の右斜め上方には発光窓ＦＬ１０が備えられており、またカメラボディ１ａの上面部にはシャッタボタン１１が備えられている。
【００４８】
また図１（ｂ）に示す様に、このデジタルカメラ１の背面には表示画面１２０１が配備されていてその表示画面１２０１の横には十字キー１３、メニューボタン１４、実行ボタン１５、取消ボタン１６といった操作子群が備えられている。またカメラボディ１ａ上面のシャッタボタン１１側の角部には凹みが設けられていてその凹みにモード設定ダイヤル１７が配設されている。
【００４９】
さらに表示画面１２０１の上方にはビューファインダ１８や電源スイッチ１９が配備されている。モードダイヤル１７が撮影モードにあるときにこの電源スイッチ１９がＯＮ側に操作されると、図１（ｂ）に示す様に被写体を表すスルー画が表示される。
【００５０】
また、本実施形態のデジタルカメラ１には、デジタルカメラ１の内部に記憶されているデータを外部へ向かって送信する送信部（後述する）が備えられており、その送信部にはカメラボディ１ａ上面側にある様に内蔵アンテナＡｎｔ１，Ａｎｔ２が距離を隔てて２本配備されている。メニューボタン１４と十字キー１３の操作により送信モードが選択されたときには後述する送信部によってそれらの内蔵アンテナＡｎｔ１，Ａｎｔ２を介して外部へとこのデジタルカメラ１の内部に記憶されているデータが無線送信される。このときには 表示画面１２０１上の下方に‘ソウシンモード’という文字が表示され送信モードであることがユーザに通知される様にもなっている。
【００５１】
また、本実施形態のデジタルカメラ１には、上記課題を解決するために上記送信モードにあるときに電源スイッチ１９のオフ操作が行なわれたとしてもデータの送信が続行される電源オフ時送信モードというモードが搭載されている。この電源スイッチ１９のオフ側への操作に応じて電源オフ時送信モードが起動されると、電源スイッチ１９の電源オフ操作が行なわれたとしても送信部（後述する）によるデータの送信だけはデジタルカメラ１内部に装填されているメモリカード（後述する）内の送信されるべきデータ（ここでは画像ファイル）の送信が終了するまでは続行される。以降の説明においては画像ファイルという言葉も本発明にいうデータを表わすものとして使用する。
【００５２】
図２を参照して上記電源オフ時送信モードにおける動作に関与する部分の構成および動作を説明する。
【００５３】
図２は、図１に示すデジタルカメラ１の内部の構成を示すブロック図である。
【００５４】
図２に示す様に、このデジタルカメラ１の動作は統括的にＣＰＵ１１０により制御されている。この例では、システムメモリ（ＲＯＭ／ＲＡＭ）１１１内に格納されているプログラムの手順にしたがってＣＰＵ１１０が処理を実行することによってこのデジタルカメラ１全体の動作が制御される。
【００５５】
また上記送信モード時の動作を実現するために本実施形態のデジタルカメラ１には送信部Ｔｘが配備されていてユーザがバックアップ用のデータを作成したいと思ったときにユーザ操作によって上記送信モードが選択されると、その送信部Ｔｘによって外部例えば自宅のパーソナルコンピュータへとデータが無線で送信される。その送信部Ｔｘは上記ＣＰＵ１１０からの指示に基づいて処理を開始するものであって、その実行が終了したときには終了したことを示す信号を電源制御部１９０（又はＣＰＵ１１０にも）に向けて出力するものであるとして以降説明する。
【００５６】
またその送信モードが選択されて上記送信部Ｔｘによりデータが送信されているときに電源スイッチ１９のオフ操作が行なわれて上記電源オフ時送信モードに移行したときの動作を可能にするために本実施形態のデジタルカメラ１には電源スイッチ１９のオンオフ操作を常時監視することができる様に電源制御部１９０が備えられている。この電源制御部１９０の動作もＣＰＵ１１０によって制御されているが、電源スイッチ１９のオンオフ操作に応じてはＤＣ／ＤＣコンバータ１９１および送信部Ｔｘの動作をＣＰＵ１１０からの指示なしに直接制御することができるようにもなっている。
【００５７】
このような構成になっていると、電源スイッチ１９がオフ側の操作されたときに電源制御部１９０がＤＣ／ＤＣコンバータ１９１（以降ＤＣ／ＤＣという）の動作を直接制御することができるため、送信部Ｔｘを除く各部への電力供給を即座に遮断するとともに送信部Ｔｘのデータの送信が終了した後においては、送信部Ｔｘから出力された信号により電源オフ時送信モードにおける送信動作が終了したことを認識してＤＣ／ＤＣ１９１から送信部Ｔｘへの電力供給を即座に遮断することもできる。さらに電源制御部１９０は、送信部Ｔｘが備える無線制御部Ｔｘ２に指示して省電力で送信の動作を行なわせることができるため、送信に要する送信部ｘの電力消費が低減されるいう効果を引き出せる。この電源制御部１９０が本発明にいう電力供給制御部にあたり、無線制御部Ｔｘ２が本発明にいう省電力制御部にあたる。また上記電源スイッチ１９が本発明にいう電源操作部にあたる。
【００５８】
また本実施形態のデジタルカメラ１においては、電源オフ時送信モードにあるときに送信されたデータを管理するための送信データ管理制御部１１３が設けられている。この送信データ管理制御部１１３によって、電源オフ時送信モード時に送信部Ｔｘによる画像ファイルの送信が次々と行なわれたときには、各画像ファイルの送信が開始されたことと各画像ファイルの送信が終了したこととが送信履歴として不揮発メモリ１１２に次々と記録される様になっている。
【００５９】
この様になっていると、再び電源スイッチ１９が投入されたときには、ＣＰＵ１１０がその不揮発性メモリ１１２内のオフ時送信ログ部１１２１に記入されている内容を参照することによって電源オフ時モードによる送信がどの程度行なわれたかがすぐに把握され、ＬＣＤ１２０を使って表示により送信結果を通知することができる。
【００６０】
また、再び電源スイッチ１９がオン側に操作されたときには、ＣＰＵ１１０によって不揮発性メモリ１１２内のオフ時送信ログ部１１２１が参照され前回の電源オフ時にバックアップがどの程度実行されたか、例えばある画像ファイル名の画像ファイルまでの送信が終了したことがそのオフ時送信ログ部１１２１の内容に応じて把握される様になり、ＣＰＵ１１０はＬＣＤ１２０を使ってバックアップデータの作成状況をユーザに通知することができる様にもなる。上記送信データ管理制御部１１３と不揮発性メモリ１１２内のオフ時送信ログ部１１２１とが本発明にいう送信完了通知部の一部を構成する。
【００６１】
ここで、本発明の特徴となる構成要素である上記電源制御部１９０、上記送信部Ｔｘ、および上記送信データ管理制御部１１３の構成および動作を詳細に説明する前に、まず図１に示すデジタルカメラ１の撮影動作を図２を参照して簡単に説明しておく。
【００６２】
図１に示す撮影モードダイヤル１７（図２中のスイッチ／ＬＥＤ等１７２と記載されている要素の中にこの撮影モードダイヤル１７が含まれているとする）が撮影モードに切り替えられている状態にあるときに電源スイッチ１９がオン側に操作されると、電源制御部１９０の制御の下にＤＣ／ＤＣ１９１から各部に電力が供給されてＣＰＵ１１０によって撮影処理が開始される。まずＣＰＵ１１０は、電源スイッチのオン側への操作をＩ／Ｏ１７３を介して受け取って撮像部１０１に指示して撮像部１０１が捉えている被写体を所定のタイミングごとに信号処理部１０２へと出力させる。この撮像部１０１には、図１に示すレンズ鏡胴１０内に内蔵されている撮像光学系とその撮像光学系で被写体像を結像させる撮像素子とが配備されていて、撮影モードにあるときには、その撮像部内の撮像素子で撮像光学系が捉えた被写体を表わす画像信号が生成され、その撮像部１０１で生成された画像信号が所定のタイミングごとに繰り返し信号処理部１０２へと出力される。なお、このときには撮像部１０１が備える撮像素子の全画素信号が出力される訳ではなく所定のフレームレートになる様に画素が間引かれて出力される。
【００６３】
後段の信号処理部１０２では間引かれて出力された画像信号がＹＣ信号へ変換されたり、ＬＣＤ１２０のγ特性に応じたガンマ補正処理などが行なわれて次段のＡ／Ｄ部１０３へ画像信号が供給される。さらにこのＡ／Ｄ部１０３でアナログの画像信号からデジタル信号の画像信号に変換されてデジタルの画像信号がバスＢｕｓを経由してフレームメモリ１０４へ供給される。上記した様に画像信号が信号処理部１０２へと繰り返し出力されているので、そのフレームメモリ１０４内の画像信号は所定のタイミングごとに書き換えられることになる。このためそのフレームメモリ１０４内の画像信号に基づく画像がＬＣＤ制御部１０５の制御の下にＬＣＤ１２０の表示画面１２０１上に所定のタイミングごとに切り替えられて表示され、あたかも撮像部１０１が捉えている被写体がそのままスルーされて表示されているかの様になる。以降の説明においては、この画像をスルー画という。
【００６４】
このスルー画がＬＣＤ１２０の表示画面１２０１上に表示されている最中にシャッタボタン１１が押されると、スルー画の処理に代わって今度はＣＰＵ１１０の制御の下にシャッタボタン１１の全押しタイミングを起点として撮影処理が開始される。
【００６５】
ＣＰＵ１１０は、まず、撮像部１０１にシャッタボタン１１の押下に同期したタイミングで露光を開始させ、所定のシャッタ秒時を経た後、今度は露光を終了させ、その露光を終了させるのと同時に撮像部１０１から信号処理部１０２へと画像信号を出力させる。信号処理部１０２では撮像部から出力されてきた画像信号の信号処理が行なわれ、信号処理部１０２で信号処理が行なわれた画像信号がバスｂｕｓを介して圧縮／伸張部１０６へ供給される。その圧縮／伸張部１０６では画像信号の圧縮が行なわれ圧縮が行なわれた画像信号が圧縮情報とともにカードＩ／Ｆ１０７に供給される。そのカードＩ／Ｆ１０７によってメモリカードスロット１０８内に装填されているメモリカード２００に画像信号と圧縮情報とからなる画像ファイルが記録される。なお、ＬＣＤ１２０の表示画面１２０１上に図１に示す日時や‘サツエイモード’やソウシンモード‘という文字などを表示することができる様に時計部ＣＡＬやＯＳＤ（Ｏｎ  Ｓｃｒｅｅｎ  Ｄｉｓｐｌａｙ）１０５１なども配備されている。さらにユーザに対して通知を行なうための音声再生用のスピーカＳＰや被写界が暗いときに図１に示す発光窓ＦＬ１０から閃光を発光するための発光制御部ＦＬ０および発光部ＦＬ１なども配備されている。
【００６６】
図１に示すデジタルカメラ１では、以上の様な撮影処理が行なわれる。
【００６７】
ここで、本実施形態のデジタルカメラ１に搭載されている電源オフ時送信モードにおける動作およびその動作に関与する部分の構成を説明する。
【００６８】
まず図２に示すデジタルカメラ１には、外部へのデータの送信を行なうための送信部Ｔｘが備えられている。その送信部Ｔｘには、無線Ｉ／ＦＴｘ１とその無線Ｉ／ＦＴｘ１の動作を制御する無線制御部Ｔｘ２と図１にも示した２つのアンテナＡｎｔ１,Ａｎｔ２とが備えられている。上記送信モードが選択された状態にあるときにはメモリカード２００内の送信されるべき画像ファイルがその送信部Ｔｘによって外部へと送信される。
【００６９】
また本実施形態のデジタルカメラ１には、メモリカード２００内のいくつかの画像ファイルが順次に送信されている途中で電源スイッチ１９がオフ側に操作されても送信されるべき画像ファイルが残らず送信される様にするために前述した様に上記電源オフ時送信モードが搭載されている。この電源オフ時送信モードは、送信モードによる送信が行なわれているときに電源スイッチ１９がオフ側に操作されたことを受けて起動されるモードであって、このモードが起動されると送信されるべき画像ファイルが順次に送信されている途中で電源スイッチ１９がオフ側に操作されたとしてもデータの送信が続行され画像ファイルが最後まで送信される。また、このオフ時送信モードが起動されているときには、電源スイッチ１９のオフ操作が行なわれた後であるので、デジタルカメラ１全体および送信部Ｔｘが電源制御部１９０からの指示を受けた無線制御部Ｔｘ２に制御されることにより省電力モードに移行してから送信処理が実行される様になっている。
【００７０】
このため、その電源オフ時送信モードにあるときに送信されるべき画像ファイルの送信を最後まで行なう上記送信部Ｔｘには、電源オフ時送信モードにあるときに、受信感度を維持しつつ省電力を行なう無線制御部Ｔｘ２が備えられている。その無線制御部Ｔｘ２には、通信相手先探索のためのプローブ信号の送受信間隔を広げることにより省電力を行なう機能や通信に使用する周波数を限定することにより、省電力を行なう機能等が備えられている。前述した様にこの無線制御部Ｔｘ２が本発明にいう省電力制御部に該当する。なお上記無線制御部Ｔｘ２には、電源スイッチ１９がオン側に操作されているときにＣＰＵ１１０の動作を定めるクロック周波数が無線Ｉ／Ｆの使用周波数帯域内に入ってしまうような場合に無線Ｉ／ＦＴｘ１の動作を制限する機能制限の機能等も備えられている。
【００７１】
また、本実施形態においてはその送信部Ｔｘの省電力を行なう機能だけではなくデジタルカメラ１全体の省電力を行なうために上記電源制御部１９０が備えられている。
【００７２】
この電源制御部１９０は、前述した様に本発明にいう電力供給制御部に該当するものであって、電源スイッチ１９の電源オンの操作に応じて、このデジタルカメラ１の、電力供給を受けて動作する送信部Ｔｘを含む各部に電力を供給するとともに、電源スイッチ１９の電源オフの操作に応じて各部への電力の供給を遮断するものである。
【００７３】
ここからはこの電力制御部１９０の動作と、送信部Ｔｘが備える無線制御部Ｔｘ２の動作を詳細に説明していく。
【００７４】
この例では、図２に示す電源制御部１９０とＤＣ／ＤＣ１９０にはバッテリＢｔからの電力が常に供給され電源スイッチ１９の操作状況が常時監視されている。その電源制御部１９０が、その電源スイッチ１９のオン側への操作を検知したときにはＤＣ／ＤＣ１９１を通してバッテリＢｔからの電力を各部に供給させている。本実施形態では、バッテリＢｔからの電力がＣＰＵ１１０にも供給されたときにＣＰＵ１１０がシステムメモリ１１１内のプログラムにしたがってこのデジタルカメラ１の動作の制御を開始する。
【００７５】
本発明にいう電力供給制御部にあたる電源制御部１９０には、電源投入制御機能と省電力制御機能との２つの機能が備えられており、電源投入機能によっては電源スイッチ１９のオンオフ操作に応じてＤＣ／ＤＣ１９０の動作が制御され、省電力制御機能によっては電源スイッチ１９のオフ操作に応じてはそのＤＣ／ＤＣ１９１から送信部Ｔｘ（後述するが場合によっては送信部に加えてＬＣＤ制御部１０５やＬＣＤ１２０やＯＳＤ１０５１）を除く各部への電力供給の遮断が制御されるとともに送信部Ｔｘの動作が省電力モードになる様に制御される。
【００７６】
この送信部Ｔｘには図１に示したアンテナＡｎｔ１，Ａｎｔ２を介して外部へと画像ファイルなどのデータを送信するための無線Ｉ／ＦＴｘ１が配備されており、上記電源オフ時送信モードに移行したときには上記電源制御部１９０からの指示により無線制御部Ｔｘ２によってその無線Ｉ／ＦＴｘ１の動作が省電力モードに切り替えられる。その無線制御部Ｔｘ２には、省電力を行なうためにプローブ間隔制御機能や帯域制限機能などの機能が搭載されている。
【００７７】
こうしておくと送信モードにあるときに電源スイッチ１９がオフ側に操作されても送信が行なわれているときには送信が続行されるため、メモリカード２００内に在る画像ファイルが例えば送信先側にあるパーソナルコンピュータ内の記録部に確実に記録されるという効果が得られる。また、電源スイッチ１９のオフ操作後にあっては電源制御部１９０がＤＣ／ＤＣ１９１を制御してデジタルカメラ１全体を省電力モードにし、さらに送信部Ｔｘを省電力モードにしてから画像ファイルの送信が行なわれるため、バッテリＢｔの消耗が抑制されるという効果も得られる。
【００７８】
ここで、図３を参照してＣＰＵ１１０および電源制御部１９０が行なう電源オフ時送信モードにおける処理の手順を説明する。
【００７９】
図３は、ＣＰＵ１１０および電源制御部１９０が行なう電源オフ時送信モードにおける処理の手順を示すフローチャートである。
【００８０】
ステップＳ３０１にある様に主電源オフ操作つまり電源スイッチ１９（図１参照）がオフ側に操作されたときにこのフローの処理は開始される。
【００８１】
ステップＳ３０２でＣＰＵ１１０が送信モードであるかどうかを判定する。ステップＳ３０２でＣＰＵ１１０が送信モードではないと判定したらＮｏ側へ進んでＣＰＵ１１０からの指示に応じて電源制御部１９０が電源オフ処理まりＤＣ／ＤＣ１９１からの電力供給を遮断してこのフローの処理を終了する。
【００８２】
ステップＳ３０２でＣＰＵ１１０が送信モードであると判定したらＹｅｓ側へ進んでメモリカードＩ／Ｆ１０７を介してメモリカード２００内に未送信データがあるかどうかを判定する。
【００８３】
このステップＳ３０３で未送信データがないと判定したら、Ｎｏ側へ進んでステップＳ３１９で電源オフ処理を行なってこのフローの処理を終了する。
【００８４】
ステップＳ３０３で未送信データがあると判定したらＹｅｓ側へ進んでステップＳ３０４で電源オフ時送信モードへ移行する。次のステップＳ３０５へ進んでステップＳ３０５で電源オフ時送信モードへの移行設定がユーザ操作によりどのように設定されているかを判定する。なお本実施形態においては操作により４つの異なる移行設定が行なわれる様になっている。このため図３には判定ステップＳ３０５の下方に並べて４つの移行設定それぞれの設定内容が示されていて、これら４つの設定内容のうちのいずれかが予めユーザによって選択されているとして以降説明する。
【００８５】
例えば、ステップＳ３０５で常に電源オフ時送信モードへ移行すると設定されていると判定した場合にはステップＳ３０６を経由してステップＳ３１４へ進んでステップＳ３１４で電源オフ時モードへ移行するとしてステップＳ３１５からステップＳ３１９の処理を順番に実行する。
【００８６】
ステップＳ３１５では、ＣＰＵ１１０は送信データ管理制御部１１３に指示してオフ時送信ログの記入を行なわせる準備を整えさせ、さらに次のステップＳ３１６では電力制御部１９０が送信部Ｔｘ内の無線制御部Ｔｘ２の設定を省電力モードに変更する。次のステップＳ３１７では、電力制御部１９０がＤＣ／ＤＣ１９１からの送信部Ｔｘを除く各部への電力供給を遮断する。ステップＳ３１８では電源制御部１９０が、ステップＳ３１６で設定した省電力モードで送信を続行させて送信が終了したことを検知したら次のステップＳ３１９へ進んでステップＳ３１９で送信部Ｔｘへの電力供給を遮断する電源オフ処理を行なってこのフローの処理を終了する。
【００８７】
またステップＳ３０５で電源オフ時送信モードへの移行を通知によりユーザ操作により選択させる設定が行なわれていた場合には、ステップＳ３０７またはステップＳ３０８を経由してステップＳ３１０でＣＰＵ１１０がＯＳＤ１０５１（図２参照）を介してＬＣＤ制御部１０５に指示してそのＬＥＤ制御部１０５に電源オフ時送信モードへ移行するかどうかの通知をＬＣＤ１２０の表示画面１２０１上の表示により行なわせるとともに、スピーカユニットＳＰに指示して音などにより電源オフ時送信モードへ移行するという通知を行なわせる。次のステップＳ３１１又はＳ３１２へ進んでユーザ操作により移行するが選択されたと判定したら、ステップＳ３１４へ進んでステップＳ３１４からステップＳ３１９の処理を行なってこのフローの処理を終了する。
【００８８】
また、ステップＳ３１１又はステップＳ３１２で‘移行しない’が設定されていると判定したらステップＳ３１３へ進んで電源オフ時送信モードへは移行せずにステップ３１９で各部への電力供給を遮断する電源オフ処理を行なってこのフローの処理を終了する。なお、本フロー中にはユーザ操作に対して実行される処理があるため、ユーザによって操作が行なわれないときにこのフローの処理が滞ることがない様にステップＳ３１１とステップＳ３１２ではタイムアウト処理が行なわれる様になっている。
【００８９】
以上説明した様にＣＰＵ１１０と電源制御部１９０によって電源オフ時送信モードにおける処理が実行される。
【００９０】
ここで、図３のフローではユーザ操作によって設定が行なわれた後の処理の手順が示されているため少々分かり難いので、ユーザによる設定操作を図４、図５を参照して説明する。
【００９１】
図４は、図３に示すステップＳ３０６、ステップＳ３０７、ステップＳ３０８、ステップＳ３０９の４つの異なる移行設定のうちのいずれかをユーザが設定しようとするときに表示される画面を示す図である。また図５は、図４に示す様に電源オフ時動作が‘確認（送信）’に設定された後、操作により送信モードが選択されデータの送信が行なわれているときに表示画面上に表示される画面の切り替わり状態を説明する図である。図４に示す‘確認（送信）’が設定されているときには、図３のステップＳ３０８又はステップＳ３０９の処理が行われる。なお図３に示してあるステップＳ３０８とステップＳ３０９の処理は同じ処理内容であり、リセットされた状態にあるときの設定状態が‘移行する’側にあるか、‘移行しない’側にあるかが異なるだけである。どちらにおいても‘移行する’側または‘移行しない’側が操作により選択されたら同じ処理が行なわれる。
【００９２】
まず図４を参照してユーザ操作により設定される設定の内容を説明する。
【００９３】
図４に示す様に本実施形態のデジタルカメラにおいては、メニューボタン１４が押されるとまず図４（ａ）に示す‘Ｓｅｔｕｐ’メニューが表示される。この‘Ｓｅｔｕｐ’メニュー中に‘通信設定’という項目があってその項目が十字キー１３と実行キー１５の操作により選択されると図４（ｂ）に示す画面に切り替わって、Ｓｅｔｕｐ通信設定メニューが表示される。
【００９４】
図４（ｂ）に示す通信設定メニューの中には図１に示すデジタルカメラ１を無線ＬＡＮに組み込むときの設定やネットワークに組み込むときの設定やサーバ設定などに関する設定項目があり、さらに電源オフ時送信モードにおける移行設定に関する項目（図４（ｂ）には電源オフ時動作と記載されている）もある。
【００９５】
図４には、その電源オフ時送信モードが‘確認（送信）’に設定された後の表示内容が示されている。また、どのような通知を行なうかの設定項目もあり、ここでは音による通知を行なうことが設定された後の表示内容が示されている。
【００９６】
このような設定が行なわれた後、図３に示すフローにしたがって処理が実行されると、図５に示す様に画面が次々と切り替えられて表示される。
【００９７】
図５にはモードダイヤル１７が再生モードに切り替えられた状態にあって表示画面１２０１上にメモリカード内にある一画像ファイル中の画像データに基づく画像が再生表示されている最中に、メニューボタン１４や十字キー１３の操作により送信モードが選択され送信が開始されてから電源スイッチ１９がオフ操作され電源オフ時送信モードに移行したときの表示画面上の画面の切り替わり状態が示されている。
【００９８】
図５（ａ）に示す再生画像が表示されているときにメニューボタン１４が操作されると図５（ｂ）に示す様に再生画像に重ねてすべての画像ファイルを送信するかいずれかを選択するか等を示す選択項目が複数表示される。それらの選択項目のうちのいずれか例えば‘選ぶ’が十字キー１３の操作等により選択されたら、内部のＣＰＵ１１０は送信データ管理制御部１１３とメモリカードＩ／Ｆ１０７に指示してメモリカード２００内にある画像ファイルのうち選択された画像ファイルを送信する準備を整えさせる。さらに内部のＣＰＵ１１０はＯＳＤ１０５１を介してＬＣＤ制御部１０５に画面を切り替える様に指示して図５（ｃ）に示す画面に切り替えさせる。この画面で十字キー１３の操作により‘送信する’が選択されたら、ＣＰＵ１１０はメモリカードＩ／Ｆ１０７に指示するとともにＯＳＤ１０５１を介してＬＣＤ制御部１０５に指示して、送信されるべきすべての画像ファイル内の各画像データに基づく画像すべてを図５（ｄ）に示すマルチ画面形式で表示画面１２０１上に表示させる。
【００９９】
さらにＣＰＵ１１０は、ＯＳＤ１０５１に指示して、選択された画像が１１コマあることを‘１１コマ送信します’の表示によりユーザに通知させて選択項目の中の‘送信開始’が十字キー１３および実行キー１５の操作により選択されたら、送信部Ｔｘに画像ファイルの送信を開始させる。送信部Ｔｘに送信を開始させたら、カードＩ／Ｆ１０７から送信部Ｔｘに転送した画像ファイルの個数に応じてＯＳＤ１０５１に指示してバーグラフの中身を塗り潰させることにより送信処理の進捗状況をユーザに通知させる。例えばユーザがそのバーグラフを見てまだ送信に時間がかかりそうなので電源スイッチ１９をオフ側に操作したときにはその操作を受けてＣＰＵ１１０がＯＳＤ１０５１を介してＬＣＤ制御部１０５に指示してＬＣＤ１２０の表示画面１２０１上の表示を図５（ｆ）の表示画面に切り替えさせる。ここから図３に示すフローの処理が開始される。
【０１００】
この例では、図４（ｂ）で説明した様に‘確認（送信）’が選択されているので、電源スイッチ１９のオフ操作を受けて図３に示すステップＳ３１０の処理が行なわれて図５（ｅ）に示す画面が図５（ｆ）に示す画面に切り替わる。
【０１０１】
その図５（ｆ）に示す画面が表示されているときにその画面内の‘続ける’が十字キーの操作等により選択されたら、図３に示すステップＳ３１０の処理が行なわれて図５（ｇ）の画面に切り替わる。
【０１０２】
この図５（ｇ）に示す画面により電源オフ時送信モードに移行したことをユーザに通知して送信部Ｔｘに送信を続行させる。上記表示が行なわれているときには図３に示すステップＳ３１５〜とステップＳ３１８の処理が行なわれ、送信部Ｔｘによるデータの送信が終了したら、電源制御部１９０は、ＤＣ／ＤＣ１９１に指示してＣＰＵ１１０と電源制御部１９０とを除く各部への電力供給を遮断させて図５（ｈ）に示す様にＬＣＤ１２０の表示画面１２０１を消灯させて完全に電源オフ状態にする。
【０１０３】
なお本実施形態ではメモリカード２００内にある画像ファイルの中からバックアップを作成したい画像ファイルを選択して選択した画像ファイルのみを送信しているが、メモリカード２００内にある画像ファイル（未送信ファイル）すべてを送信する様にしておいても良い。この表示画面１２０１上の表示処理を行なうＣＰＵ１１０とＬＣＤ制御部１０５とＬＣＤ１２０とＯＳＤ１０５１とが本発明にいう状態移行通知部にあたり、また送信完了通知部にもあたる。
【０１０４】
以上、説明したように、データを送信する送信機能を備えた携帯機器において、無駄な電力の消費が抑制されるとともに、ユーザに意識させずにバックアップ用のデータが確実に作成される携帯機器が実現する。
【０１０５】
図６〜図７は、第２の実施形態を説明する図である。
【０１０６】
図６は、ＣＰＵ１１０と電源制御部１９０とが行なう電源オフ時送信モードにおける処理の手順を示すフローチャートである。図７は、図６に示す処理手順で処理が行なわれたときにＬＣＤ１２０が備える表示画面１２０１上に表示される画面を説明する図である。      
【０１０７】
この第２の実施形態においても図１、図２に示したデジタルカメラ１で処理が行なわれる例が示されており、図６に示す様に第１の実施形態で説明した図３の処理とは異なる処理をＣＰＵ１１０と電源制御部１９０とが実行する。この図６の例では送信モードが設定されていなくても未送信データがメモリカード２００内にあったときには電源オフ時送信モードへ自動的に移行する様に改良されている。
【０１０８】
図６に示すステップＳ３２０が付加されそのステップＳ３２０でＹｅｓと判定された場合の処理としてステップＳ３１４〜Ｓ３１８までの処理が追加されている以外の処理は図３の処理と全く同じであるので、その追加された部分のみを抜き出して説明する。
【０１０９】
ステップＳ３０２で送信モードが選択されていないと判定したらステップＳ３２０へ進みステップＳ３２０で未送信データがあるかどうかを判定する。このステップＳ３２０で未送信データがあると判定したらステップＳ３２１へ進んで図３のステップＳ３１４からステップまでの処理を行なう。ただしステップＳ３１８の処理が継続ではなくステップＳ３１８Ａの様に送信開始に変更されている。
【０１１０】
こうしておくと、電源オフ時に未送信データがあれば、ユーザには気が付かれない様にして送信データが自動的に送信される。
【０１１１】
図７は、図６に示すフローの手順にしたがって本発明にいう状態移行通知部にあたるとともに送信完了通知部にもあたるＣＰＵ１１０と電源制御部１９０とＬＣＤ制御部１０５とＯＳＤ１０５１とＬＣＤ１２０が処理を実行したときの処理内容を説明する図である。図７には、処理経過に応じて表示画面１２０１上に表示される画面が次々と切り替えられていく状態が示されている。
【０１１２】
図７（ａ）に再生画像が表示されているときにメニューボタン１４が操作されると図７（ｂ）に示す様に再生画像の上に選んで画像ファイルを送信するか全コマを送信するかなどの選択項目が複数表示される。それらの選択項目のうちのいずれか例えば‘選ぶ’が十字キー１３の操作により選択されたら、内部のＣＰＵ１１０は送信データ管理制御部１１３に指示してメモリカード２００内にある画像ファイルのうち選択された画像ファイルを送信する準備を整えさせる。さらに内部のＣＰＵ１１０はＬＣＤ制御部１０５に画面を切り替える様に指示して図７（ｃ）に示す画面に切り替えさせる。ここで十字キー１３の操作により‘送信予約する’が選択されたら、ＣＰＵ１１０はＬＣＤ制御部１０５に指示して、選択された画像ファイル中の各画像データに基づく画像を図７（ｄ）に示すマルチ画面形式で表示画面１２０１上に表示させる。さらにＯＳＤ１０５１に指示してＯＳＤ１０５１に‘１１コマ送信予約しますか？  送信開始  やめる’という文字列を表示させる。ここで‘送信開始’が十字キー１３および実行キー１５の操作により選択されたら、送信予約が行なわれる。
【０１１３】
その後、電源スイッチ１９（図１参照）がオフ側に操作されたことを受けてＣＰＵ１１０がＬＣＤ制御部１０５とＯＳＤ１０５１に指示して、表示画面１２０１上に、送信予約された画像が１１枚あります。送信しますか？  送信する  送信しない‘の文字列を囲み枠からなるカーソルとともに表示させる。ここで‘送信する’が十字キー１３と実行キー１５の操作により選択されたら、ＣＰＵ１１０と電源制御部１９０は通常モードから電源オフ時送信モードへ移行するとともに電源オフ時送信モードへ移行したことをユーザに通知するためにＬＣＤ制御部１０５とＯＳＤ１０５１に指示して図７（ｆ）に示す様に‘電源オフで送信予約画像１１枚の送信を行ないます’という文字列を表示させる。さらに送信部Ｔｘ（図２参照）によるデータの送信が終了したらＣＰＵ１１０と電源制御部１９０により電源オフ処理が行なわれてＬＣＤ制御部１０５とＬＣＤ１２０などへの電力供給を遮断することにより図７（ｇ）に示す様に表示画面を消してデータの送信が終了したことを通知する。
【０１１４】
なお。ここでは電源スイッチ１９がオフされた後においても送信部ＴｘとメモリカードＩ／Ｆ１０７と送信管理制御部１０５にはバッテリＢｔからの電力が供給され続けていてこのフローの処理がステップＳ３１９に移行したときにそれらの部分の電源オフ処理が行なわれる。
【０１１５】
この第２の実施形態の構成にしておくと、送信されるべき画像ファイルが未送信であった場合には電源スイッチ１９のオフ操作を受けて画像ファイルが送信されるため、ユーザが知らない間に自宅のパーソナルコンピュータ内の記憶部にバックアップ用の画像ファイルが記録される様になる。さらに画像ファイルの送信が終了した後においては、電源オフ処理が行なわれるため、無駄に電力が消費される心配もない。
【０１１６】
以上説明した様に、データを送信する送信機能を備えた携帯機器において、無駄な電力の消費が抑制されるとともに、ユーザに意識させずにバックアップ用のデータが確実に作成される携帯機器が実現する。
【０１１７】
ここからは第１の実施形態のデジタルカメラ、第２の実施形態のデジタルカメラが有する本発明に関連のある機能を個別に説明していく。
【０１１８】
まず、本発明にいう状態移行通知部の機能と、送信完了通知部の機能を説明する。
【０１１９】
前述した様にこれらの機能をＣＰＵ１１０とＬＣＤ制御部１０５とＯＳＤ１０５１とＬＣＤ１２０とで構成される。
【０１２０】
電源オフ送信モードが起動したときには、電源スイッチ１９がオフ操作された後にデータの送信が行なわれるためユーザにはデータの送信の送信状態が全く分からない。そこで、第１の実施形態、また第２の実施形態のデジタルカメラには、電源オフ時送信モードへ移行したとき、また送信部Ｔｘによるデータの送信が完了したときにユーザに向けて通知を行なう通知機能が配備されている。
【０１２１】
第１実施形態、第２実施形態とも、ＬＣＤ１２０が備える表示画面１２０１上に表示することによりユーザに向けて電源オフ時送信モードへの移行を通知することに加えて、音や振動や光で通知することができる様にもなっている。
【０１２２】
このため図２に示す様に音で通知するためのスピーカユニットＳＰや振動で通知するためのバイブレータユニットＶＲが配備されている。さらに閃光を発光する閃光発光制御部ＦＬ０と発光部とを利用して光によりユーザに向けて通知を行なうことができる様にもしてある。この例では、図４（ｂ）の最後の行に示されている‘送信完了時動作’の設定状態に応じてＣＰＵ１１０がスピーカユニットＳＰやバイブレータユニットＶＲや閃光発光部ＦＬ０などを制御して音、振動、光のいずれかでユーザに送信の終了を通知することができる様になっている。
【０１２３】
図８は、ＣＰＵ１１０が行なう電源オフ時送信モードの完了通知処理の手順を示すフローチャートである。
【０１２４】
図８には、図３に示すステップＳ３１９の処理の詳細が示されている。このフローの処理が行なわれるときには図４（ｂ）の最後の行に示されている‘送信完了時動作’の設定内容に応じた処理が行なわれる。図４（ｂ）では‘音通知’が設定されているので音が設定されているとして以降説明する。
【０１２５】
図８を参照して処理の手順を説明する。
【０１２６】
ステップＳ３１８で送信が完了してステップＳ３１９へ移行したらこのフローの処理が開始される。
【０１２７】
ステップＳ３１９１で ‘音で通知する’が設定されていると判定したら音側へ進んでステップＳ３１９２１で音で通知することをスピーカユニットＳＰに指示してスピーカユニットＳＰに音で送信の完了をユーザに通知させる。ステップＳ３１９４て、データ送信管理制御部１１３に、送信した画像ファイルのファイル名を不揮発メモリに記録させ、次のステップＳ３１９５で完全電源オフ処理を行なってこのフローの処理を終了する。
【０１２８】
またステップＳ３１９１で、操作により‘振動で通知する’が設定されていると判定した場合には、振動側へ進んでステップＳ３１９３２でバイブレータＶＲを振動させてステップＳ３１９４からステップＳ３１９５の処理を行なってこのフローの処理を終了する。
【０１２９】
またステップＳ３１９１で、操作により‘光で通知する’が設定されていると判定した場合には、光側へ進んで発光制御部ＦＬ０に発光部ＦＬ１を制御させることにより光を発光させてステップＳ３１９４からステップＳ３１９５の処理を行なってこのフローの処理を終了する。
【０１３０】
さらにステップＳ３１９１で何も設定されていないと判定した場合には、ステップＳ３１９２１、ステップＳ３１９２３をスキップしてステップＳ３１９４て、送信管理部１１３に、送信した画像ファイルのファイル名を不揮発メモリ１１２に記録させ、次のステップＳ３１９５で完全電源オフ処理を行なってこのフローの処理を終了する。
【０１３１】
図９は、ＣＰＵ１１０と電源制御部１９０とＯＳＤ１０５１とＬＣＤ制御部１０５とＬＣＤ１２０とで構成される状態移行通知部の処理を説明する図である。
【０１３２】
図９には、図４（ｂ）に示す‘電源オフ時動作’つまり電源オフ時送信モードへの移行設定がユーザ操作によりどのように設定されているかによって表示画面がどのように切り替わっていくかが示されている。またこの図９に示されている各画面は、ステップＳ３０６、あるいはステップＳ３０７、あるいはステップＳ３０８、あるいはステップＳ３０９の処理が設定内容に応じて行なわれたときの画面がそれぞれ示されている。
【０１３３】
ここでは説明を分かり易くするために図５で説明したときと同じ設定状態つまり図４（ｂ）に示す電源オフ時動作の欄が‘送信（確認）と設定されていたとしてまず説明する。
【０１３４】
図４（ｂ）に示す電源オフ時動作の設定が、‘送信する（確認）’となっていた場合には、図５で説明した様に電源スイッチ１９のオフ操作を受けて図９（ａ）に示す画面が図９（ｂ）に示す画面にまず切り替わる。この表示画面上で‘続ける’が十字キー１３の操作等により選択された場合には、図９（ｄ）（図５（ｇ）参照）、さらに図９（ｅ）（図５（ｈ）参照）という風に画面が切り替わっていく。また、図９（ｂ）に示す画面上で‘終了する’が十字キーの操作等により選択されたら、図９（ｅ）の画面にすぐに切り替わる。
【０１３５】
また、前述した様にステップＳ３０７とステップＳ３０８の処理は、デフォルトの設定に違いある以外、同じ処理が行なわれる。この図９には、その違いがカーソル（囲み枠）の位置によって明確に示されている。もしもデフォルトの設定が図９（ｃ）に示す設定であった場合には、電源スイッチ１９のオフ操作を受けて図９（ａ）に示す画面が図９（ｃ）に画面に切り替わる。
【０１３６】
図９（ｂ）、または図９（ｃ）に示す画面上で‘終了する’が選択されたら図９（ｅ）の画面に切り替わり、図９（ｂ）または図９（ｃ）に示す画面上で‘続ける’が十字キー１３の操作等によって選択されたら図９（ｄ）、さらに図９（ｅ）の画面に順に切り替わる。
【０１３７】
また、図４（ｂ）に示す電源オフ時動作が、例えば‘確認なし（常時送信）’になっていたら、図９（ａ）からすぐに図９（ｄ）の画面に切り替わってデータの送信が行なわれて送信が終了したら図９（ｅ）の画面に切り替わる。
【０１３８】
さらに図４（ｂ）に示す電源オフ時動作が、例えば‘送信しない’になっていたら、無条件に図９（ｅ）に示す画面に切り替わる。
【０１３９】
このように本発明にいう状態移行通知部と送信完了通知部の機能を活用してユーザ操作によりユーザに向けていろいろな通知を行なうことができるようにしておくとこのデジタルカメラの使い勝手がより一層向上する。
【０１４０】
ここで本実施形態のデジタルカメラでは、電源オフ時送信モードによりデータの送信がユーザの知らないうちに行なわれるので、データの送信状態を管理するために前述した様に送信データ管理制御部１１３が設けられている。
【０１４１】
その送信管理制御部によってどのような管理が行なわれるかを説明する。
【０１４２】
図１０は、図３に示すステップＳ３１５の処理の詳細を説明する図である。
【０１４３】
ステップＳ３１５の処理は、ＣＰＵ１１０および電源制御部１９０が、送信データ管理部１１３に指示して送信した画像ファイル名を送信履歴として不揮発性メモリ１１２内の送信ログ部１１２１に記入させる処理である。なお、図１０には、説明のために履歴が記入されている帳票が示されているので、ここでは書き込むや記録するという言葉の代わりに履歴表に記入するという意味合いを含めて‘記入する’という言葉を用いて以降説明する。
【０１４４】
図１０を参照してＣＰＵ１１０が送信データ管理部１１３に行なわせる不揮発メモリ１１２内の送信ログ部１１２１への記入処理を説明する。
【０１４５】
ステップＳ３１４で電源オフ時送信モードへの移行が決定したら、まずステップＳ３１５０１で送信データ管理部１１３に何個（図１０では４つになっている）の画像ファイルを送信させるかを示す移行ログを不揮発性メモリ１１２内のオフ時送信ログ部１１２１に記入させる。次のステップＳ３１５０２で送信部Ｔｘに例えば自宅のパーソナルコンピュータへ向けて画像ファイルの送信を行なわせ、送信部Ｔｘの送信が終了したことを送信部Ｔｘから発行される完了通知により認識して送信データ管理制御部１１３に指示して不揮発性メモリ１１２内のオフ時送信ログ部１１２１に送信の完了と次に送信されるべき新たな画像ファイルの送信処理へ移行するという移行ログを記入させる。
【０１４６】
このステップＳ３１５０２からステップＳ３１５０３の処理は、ＣＰＵ１１０と電源制御部１９０が、送信すべき４つの画像ファイルＦｉｌｅ０００１．ｊｐｅｇ、Ｆｉｌｅ０００２、Ｆｉｌｅ０００５、Ｆｉｌｅ０００７．ｊｐｅｇについて送信データ管理制御部１１３に繰り返し行なわせる処理であって、それぞれの画像ファイルについて最初の画像ファイルＦｉｌｅ０００１．ｊｐｅｇのときと同じ様に送信データ管理部１１３に指示して送信データ管理部１１３に不揮発性メモリ１１２内のオフ時送信ログ部１１２１に送信完了ログをそれぞれ記入させている。
【０１４７】
そしてステップＳ３１５０４で最後の画像ファイルＦｉｌｅ０００７．ｊｐｅｇまで画像ファイルの送信が完了してステップＳ３１５０５で送信ログを送信データ管理制御部１１３に記入させたらステップＳ３１５０６で送信完了処理を行なって次のステップＳ３１５０７で送信完了ログとして送信データ管理制御部に指示して正常に終了したということを示す‘ｃｏｍｐｌｅｔｅｄ’という文字列を不揮発性メモリ１１２内のオフ時送信ログ部１１２１に記入させる。
【０１４８】
ステップＳ３１５０７へ進んでステップＳ３１５０７で電源制御部１９０がＤＣ／ＤＣ１９１に指示して各部への電力供給を遮断させる完全電源オフ処理を行なう。ここで一旦処理が中断する。
【０１４９】
またこの例では、ステップＳ３１５０１からステップＳ３１５０６までの処理を送信部Ｔｘに行なわせているときには、送信部Ｔｘに開始指示を与えるだけで後は送信部Ｔｘが勝手に送信を行なうことになるので、その間にＣＰＵ１１０と電源制御部１９０がバッテリＢｔの状態を監視してステップＳ３１５２０〜ステップＳ３１５２４までの処理でバッテリ廻りに異常があった場合には送信が完了していなくても未完の状態でＤＣ／ＤＣ１９１に指示して電源オフ処理を行なわせている。このため、フローには送信処理と平行してステップＳ３１５２０からステップＳ３１５２４までの処理が行なわれていることが示されている。そのステップＳ３１５２０でバッテリチェックが行なわれてバッテリＢｔの電圧が低下してることを検知したときにはステップＳ３１５２１で未完ログとして‘Ｌｏｗ  Ｂａｔｔｅｒｙ’という文字列を電源オフ時送信ログ部１１２１に記入させ電源オフ処理を行なって一旦処理を中断する。また、ステップＳ３１５２３で突然バッテリが外された等の異常が発生したときには、電源オフ処理を行なうことなく異常終了のまま処理を中断する。
【０１５０】
ここで電源スイッチ１９が再びオン側に操作されたら、送信部Ｔｘが動作中であるかどうかをチェックする。このステップＳ３１５３１で何らかの理由により送信部Ｔｘが画像ファイルの送信を行なっていると判定したらＹｅｓ側へ進んでステップＳ３１５３２で‘電源オフ時送信は完了していませんが続けますか’という問い合わせを表示画面１２０１上に表示させる。なおこのステップＳ３１５３２で実行キーあるいは取消キーのいずれかが操作されたらその操作に応じた処理が実行され、以降撮影処理もしくは再生処理が実行される。
【０１５１】
このステップＳ３１５３１で送信部Ｔｘの電源オフ処理が正常に行なわれていて動作中ではないと判定したらＮｏ側へ進んでステップＳ３１５３３で不揮発性メモリ１１２内のオフ時送信ログ部１１２１を参照してログが記入されているかいないかの検査（ログ検査）を行なう。
【０１５２】
ステップＳ３１５３４へ進んで一つもログが記録されておらずログ無しと判定したらＹｅｓ側へ進んでステップＳ３１５３５で電源オフ時送信は選択されていないとして通常通り撮影モードまたは再生モードを起動する。
【０１５３】
ステップＳ３１５３４でログが記録されていると判定したらＮｏ側へ進んでステップＳ３１５３６で‘ｃｏｍｐｌｅｔｅｄ’という文字列が記入されているかどうかを判定する。このステップＳ３１５３６で‘ｃｏｍｐｌｅｔｅｄ’という文字列が記入されていると判定したらＹｅｓ側へ進んでステップＳ３１５３７で表示画面上に‘電源オフ時送信は成功しました’を表示させてこのフローの処理を終了する。
【０１５４】
上記ステップＳ３１５３６で‘ｃｏｍｐｌｅｔｔｅｄ’という文字列がないと判定したらＮｏ側へ進んでステップＳ３１５３８で ‘未完ログ’（ステップＳ３１５２１参照）が記入されているかどうかを判定して‘未完ログ’があると判定したらＹｅｓ側へ進んでステップＳ３１５３９で‘電源オフ時送信は××の理由で中断しました。再開しますか？’を表示させてこのフローの処理を終了する。
【０１５５】
ステップＳ３１５３８で‘未完ログ’がないと判定したらＮｏ側へ進んでステップＳ３１５４０で原因不明の異常終了が起きたとして電源オフ時送信は‘原因不明の異常終了で中断しました’を表示させてこのフローの処理を終了する。
【０１５６】
このフローの処理に関与するＣＰＵ１１０と電源制御部１９０とＬＣＤ制御部１０５とＬＣＤ１２０とＯＳＤ１０５１と送信データ管理部１１３と不揮発性メモリ１１２とが本発明にいう送信結果通知部にあたる。
【０１５７】
この様に本発明にいう送信結果通知部が配備されていると、送信部Ｔｘに行なわせた送信が正常に終了したか、異常終了したかがすぐに分かる様になるので、ユーザに対して有効な情報を提供することができる様になる。
【０１５８】
図１１、図１２は、送信部Ｔｘが備える無線制御部Ｔｘ２が電源オフ時に行なう省電力モードによる送信処理を説明する図である。前述した様に上記無線制御部Ｔｘ２が電源スイッチ１９の電源オフの操作後に送信部Ｔｘによるデータ送信を行なう電源オフ時送信モードにあるときに、受信感度を維持しつつ省電力を行なう省電力制御部にあたる。
【０１５９】
図１１を参照して無線制御部Ｔｘ２がどのように省電力を達成するかを説明する。
【０１６０】
図１１（ａ）には、電源スイッチ１９がオン側に操作され通常の動作状態にあるときに操作により送信モードが選択され送信が行なわれているときのこのデジタルカメラ１の電力消費の変化状態が示されている。このように電源スイッチ１９がオン側に操作され通常の動作状態にあるときにはアンテナを送信する方角に向けて相手先を送受信により確認した上でデータの送信が行なわれている。
【０１６１】
ここで電源スイッチ１９がオフ側に操作されると、電源制御部（とＣＰＵ１１０）を含む各回路がスリープモードになる。このスリープモードにあるときには消費電力が低減されるので、このスリープモードになるだけで電力消費が効果的に低減される。
【０１６２】
上記第１の実施形態においては、電源スイッチ１９がオフ操作されたときに電源オフ時送信モードに移行して送信が続行されるが、デジタルカメラはユーザが持ち歩くものであるため、場合によっては送信を行なうことができない場所に行ってしまうことがある。そのときには、相手先との間で通信を確立するために探索用のプローブ信号の送信が必要になる。
【０１６３】
また上記第２の実施形態においては、電源スイッチ１９がオフ操作されたときにデータの送信が開始されたるため、必ず送信先を探索するためにプローブ信号の送信が必要になる。
【０１６４】
そこで、電源制御部１９０が送信部Ｔｘに指示して電源オフ時送信モードに移行したときにはそのプローブ信号の送信間隔を変えることにより電力消費の低減を図ろうとしている。
【０１６５】
図１１（ｂ）には、いままでの省電力制御機能によりプローブ信号の送信間隔が調整されたときの状態が示されている。
【０１６６】
本実施形態では、電源スイッチ１９のオフ操作に応じてそのプローブ信号の送信の間隔を図１１（ｂ）の状態よりも更に拡げることによりさらなる電力消費の低減を図ろうとしている。
【０１６７】
図１１（ｃ）、図１１（ｄ）には、本発明にいう省電力制御部にあたる無線制御部Ｔｘ０が、電源スイッチ１９の電源オフの操作後に送信部Ｔｘによるデータ送信を行なう電源オフ時送信モードにあるときに、受信感度を維持しつつ省電力を行なったときに図１１（ａ）と比べてどの程度電力消費が抑制されるかが示されている。
【０１６８】
図１１（ｃ）、図１１（ｄ）には、無線制御部Ｔｘ２が通信相手先探索のためのプローブ信号の送受信間隔を広げることにより省電力の効果が大きくなることが示されている。
【０１６９】
本実施形態の送信部Ｔｘには２つの省電力モードが搭載されており、図１１（ｃ）には、省電力モード１におけるプローブ信号の送信間隔が示されており、図１１（ｄ）には、省電力モード２におけるプローブ信号の送信間隔が示されている。図１１（ｄ）には送信間隔を省電力モード１よりも拡げた分、時間に対する平均電力が低減されることを考えてプローブ信号のパワーを上げた状態が示されている。
【０１７０】
このように送受信間隔を広げれば広げる程、時間に対する平均的な電力消費が低減されるというメリットが得られる。また送信の探索が行なわれる周期を長くしたとしてもこのデジタルカメラを持って例えば自宅に近づいていったときにはどこかで通信経路が確実に確立されることになるため、あまり極端に長くしない限り問題は起こらない。
【０１７１】
また、無線Ｉ／ＦＴｘ１の種類によっては、プローブ信号の送受信間隔を広げる代わりに通信に使用する周波数を限定することにより、省電力を行なうこともできる。
【０１７２】
図１２は、周波数を限定することにより省電力を行なう場合を説明する図である。
【０１７３】
図１２（ａ）に示す様に複数の使用バンド（周波数帯域）ＢａｎｄＡ〜ＢａｎｄＥを持っているような場合には、電源オフ時送信モード時には図１２（ｂ）に示す様にいずれか一つのバンド（たとえばＢａｎｄＡ）を用いてプローブ信号の送信を行なう様にすると省電力が好適に行なわれる。
【０１７４】
図１に示すデジタルカメラでは、アンテナが内蔵されているが、外部に突出する様なアンテナであると指向性を持たせやすい。しかしデジタルカメラは、持ち歩くものであるため、電源オフ時にアンテナがボディから突出したままになるとアンテナが壊れ易い。
【０１７５】
上記デジタルカメラにアンテナを配備する場合には、送信部が備えるアンテナが電源スイッチがオン側に操作されているときには、ユーザにより自在にいろいろな方角に向けることができるので指向性を持つものであった方が良く、電源オフ時送信モードへ移行した後においては、あらゆる方向に向けて送信が行なわれる様に無指向性をもつものであった方が良い。そこで電源オン時と電源オフ時とでアンテナの指向性を変えることを自在に行うアンテナ駆動部を配備することが考えられる。
【０１７６】
図１３、図１４は、デジタルカメラ１Ａがアンテナ駆動部１０９を備えた場合の例を説明する図である。
【０１７７】
図１３には、図２の構成に加えてアンテナ駆動部１０９が追加された例が示されている。
【０１７８】
また図１４には、そのアンテナ駆動部１０９によって駆動されるアンテナ１０Ａの例が示されている。図１４に示すアンテナ１０Ａは、このデジタルカメラ１Ａの筐体１ＡＡからの突出量の少ない第１の位置とその筐体１ＡＡからの突出量の大きい第２の位置との間で移動自在なものであって、電源スイッチ１９の電源オフの操作後に送信部ＴｘＡによるデータ送信を行なう電源オフ時送信モードへの移行を受けて上記アンテナ駆動部１０９がアンテナ１０Ａを第１の位置へ動かす構成になっている。ここでは電源制御部１９０Ａがアンテナ駆動部１０９Ａに駆動指示を与えて電源オフ時モードに移行したときにアンテナ１０Ａを筐体１ＡＡに一体的に組み込む（つまり第１の位置に駆動される）様にしている。
こうしておくと、電源スイッチ１９がオフ側に操作された後においてはアンテナ１０Ａが筐体１ＡＡと一体的になるのでこのデジタルカメラ１Ａを持ち歩くときにアンテナが壊れる危険性が低減される。また、電源スイッチ１９がオン側に操作された後においては、上記アンテナ駆動部によってアンテナ１０Ａが上記第２の位置に駆動され突出した状態になるので例えば筐体１ＡＡを反射板として作用させることでアンテナ１０Ａの指向性を、アンテナが筐体に組み込まれているときよりも狭めることができる。
【０１７９】
図１４に示す様な構成の他にもアンテナの指向性を狭めたり、広げたりする構成にはいろいろなものが考えられる。
【０１８０】
図１５は、図１４とは別の構成により、アンテナの指向性を調節することができる様にした場合の例を示す図である。
【０１８１】
送信部が、無線通信用の、固定されたアンテナ主放射素子１０Ｂと、そのアンテナ主放射素子１０Ｂによる通信の、少なくとも指向性を制御する可動なアンテナ副素子１１ＢとからなるアンテナＡｎｔを備え、電源スイッチ１９の電源オフの操作後に送信部によるデータ送信を行なう電源オフ時送信モードへの移行を受けて、アンテナ駆動部によってアンテナ副素子１１Ｂが、アンテナ主放射素子１０Ｂによる通信の指向性が無指向性に近付く方向に広がるように移動する様に構成されている。
【０１８２】
このような構成にしても良い。
【０１８３】
図１６はさらなる変形例を示す図である。
【０１８４】
送信部が、この携帯機器の筐体１ＣＣからの突出量の少ない第１の位置とその筐体１ＣＣからの突出量の大きい第２の位置との間で移動自在であって第２の位置にあるときにアンテナとして作用する可動アンテナ１０Ｃと、このデジタルカメラの筐体１ＣＣに対し固定され、その筐体１ＣＣに内蔵された固定アンテナ１１Ｃとを備え、電源スイッチ１９の電源オフの操作後に送信部によるデータ送信を行なう電源オフ時送信モードへの移行を受けてアンテナ駆動部によって可動アンテナ１０Ｃが第１の位置（筐体内に埋設される）に移動する様に構成されている。この様な構成にしても良い。
【０１８５】
図１７、図１８は、送信部ＴｘＤが備える無線制御部ＴｘＤ２が有する通信機能制限の機能を説明する図である。
【０１８６】
図１７には、図２に示したデジタルカメラの内部構成と同様の内部構成が示されており、クロックユニット１０Ｄが付加された図が示されている。また図１８は、機能制限の機能を説明する図である。また図１９は、送信が有する機能制限の別の機能を説明する図である。
【０１８７】
図１８には、ＣＰＵが実行するタスクの、通常動作時と電源オフ時送信モードになったときの優先順位の違いが示されている。図１８に示す様に通常動作時には、メインタスクの処理が優先され、以降撮影処理タスク、信号処理タスクの処理が実行される。ここで電源スイッチがオフ側に操作されると、電源オン時には低い優先順位であった無線通信タスクの優先度が引き上げられてすぐに無線通信タスクが実行される。
【０１８８】
このときには、例えば電源制御部１９０（図１７参照）が、電源スイッチ１９の電源オフの操作後に送信部によるデータ送信を行なう電源オフ時送信モードへの移行を受けて送信部ＴｘＤによる送信機能の制限を解除する指示を与えて送信部Ｔｘが備える最大の送信能力を引き出してから送信を行なうこともできる。
【０１８９】
例えば、クロックユニット１０Ｄから送信部Ｔｘに出力されているクロックの周波数は、通常動作時には撮像部１０１が備える撮像素子やＣＰＵ１１０に供給されるクロックに悪影響を与えない様にするために周波数が低めに設定されている場合がある。このような場合には、電源オフ側に操作されたときに撮像素子が動作しないことを考慮してクロックの周波数を最大の周波数にして送信部ＴｘＤに送信を行なわせるようなことができる。
【０１９０】
また図１９に示す様に、特定の周波数が本体内部のいずれかの回路に悪影響を与えるため、通常時にはフィルタリングにより帯域制限されている周波数帯を、電源オフ時送信モード時においては解除することができる場合もある。
【０１９１】
ここまで説明した本発明のデジタルカメラの特徴を踏まえて、最後にこのデジタルカメラで撮影を行なったときに得られる効果を説明する。
【０１９２】
本発明のデジタルカメラを持って公園などに出かけて撮影が行なわれたときに自宅のパーソナルコンピュータ内にどのようにバックアップ用のデータが記録されるかを図２０、図２１を参照して説明する。
【０１９３】
図２０は、撮影に出かけた場所周辺の地理を説明する図である。図２１は、図１に示すデジタルカメラをもって撮影したときのデジタルカメラ内部のＣＰＵ１１０が行なう撮影処理とＣＰＵ１１０と電源制御部１９０が行なう電源オフ時送信モードへの移行に係る処理の手順を示すフローチャートである。
【０１９４】
図２０には、無線アクセスポイントが多数配備されていて、それらのアクセスポイントが自由に使える様になっている場合の例が示されている。各アクセスポイントを中心として図２０に示すハッチングの領域内に居れば自宅のパソコンに画像ファイルの送信を行なうことが可能となる。図２０には場所を区別するために○で囲まれた１〜６までの数字がそれぞれ示されている。
【０１９５】
例えば撮影者が図１に示すデジタルカメラを持っていて、図２０に示す地点１で池を背景に８枚撮影した後に送信モードに切り替えて、３つの画像ファイルの送信を行なってさらに行なおうとしているときにデジタルカメラの電源スイッチ１９（図１参照）をオフ側に操作したとする。
【０１９６】
この電源スイッチ１９のオフ操作を受けてデジタルカメラ１は電源オフ時送信モードへ移行する。ここでさらに撮影者が地点２に向かって歩き始めると、通信圏外となって図１１に示す省電力制御モード１又は省電力制御モード２に移行する。
【０１９７】
地点２で４枚の撮影を行なって送信モードに切り替えたとしても地点２には無線アクセスポイントがないので、無線の送信が行なわれることなく、未送信の画像ファイルが増え続けることになる。
【０１９８】
さらに、撮影者が地点２から動物園側に地点３側を通過する様に歩き始めると、その地点３で一旦は無線アクセスポイント近くを通ることになる。ここで撮影者が止まれば無線アクセスポイント３を通してプローブ信号が送信されたときに通信が確立されるが、ここをそのまま通過してしまうと、デジタルカメラが図１１で説明した省電力制御モード１又は２になっているため、通信の確立が行なわれずに通り過ぎてしまう率が高い。
【０１９９】
さらに、動物園に向かって歩き続けると、地点４周辺は通信圏内であるのでデジタルカメラが備える送信部によるプローブ信号の送信により送信先が認識され送信部によってデータの送信が再開される。ここで５つの画像ファイルの送信が行なわれて未送信画像ファイルが２つとなったところで電源スイッチがＯＮ側に操作され１０枚の撮影が行なわれたとする。
【０２００】
この動物園周辺はすべて通信が確立する通信圏内であるので、撮影者がここで送信モードを起動して動物園で撮影された１０個の画像ファイルと２個の未送信画像ファイルとからなる１２個の画像ファイルのうちの９つの画像ファイルを送信しながら駐車場に向かって歩いて通信圏外に入ったとすると、後３つの画像ファイルが未送信の画像ファイルとして残る。
【０２０１】
さらに撮影者が駐車場に向かって歩き続けると通信圏内を通り過ぎることになるので、例えば２つの画像ファイルが送信される。このとき撮影者が送信の終了を待たずに車を発進させたとするとすぐに通信圏外になってしまうので１枚だけ未送信の画像ファイルが残る。
【０２０２】
撮影者がスタジオに帰ったときに、送信された２１枚の画像ファイルが自宅のパーソナルコンピュータ内に記録されていることを確認したら、最後の１枚をパーソナルコンピュータ内に操作により記録することでバックアップデータの作成が確実に終了する。
【０２０３】
このようにこの電源オフ時送信モードを活用すると、バックアップデータの作成が知らないうちに行なわれて足りないものだけを簡単に記録することができる。
【０２０４】
図２１は、上記ケースにおいてデジタルカメラ内部のＣＰＵ１１０と電源制御部１９０が行なう処理の手順を示すフローチャートである。
【０２０５】
ステップＳ２１０で撮影が行なわれているときに送信モードが選択されると、ステップＳ２１１でＣＰＵ１１０（図１）は送信部Ｔｘによるデータの送信を行なう送信モードを起動する。次のステップＳ２１２で撮影が行なわれたかどうかを判定する。このステップＳ２１２で撮影が行なわれたと判定したらＹｅｓ側へ進んでステップＳ２１３で撮像処理や信号処理や記録処理を行なってメモリカードにまだ記録していない画像ファイルを記録してステップＳ２１２の処理に戻る。
【０２０６】
ステップＳ２１２で撮影が行なわれていないと判定したら、新規撮影画像があるかどうかを判定する。このステップＳ２１２で新規撮影画像がると判定したらＹｅｓ側へ進んで、ステップＳ２１５で不揮発性メモリ内に書き込まれている未送信画像リストに追加記録してステップＳ２１２の処理に戻る。
【０２０７】
さらにステップＳ２１４で新規撮影画像がないと判定したらＮｏ側へ進んでステップＳ２１６で電源スイッチがオフ側に操作されたかどうかを判定する。このステップＳ２１６で電源スイッチ１９がオフ操作されたと判定したらＹｅｓ側へ進んでステップＳ２２４で図３で説明した電源オフ送信モード移行処理を開始する。
【０２０８】
ここで電源スイッチがオフ側に操作されていないと判定したらステップＳ２１７へ進んでステップＳ２１７で通信リンクが確立しているかどうかを判定する。このステップＳ２１７で通信リンクが確立していると判定したらＹｅｓ側へ進んでステップＳ２１８で未送信画像があるかどうかを不揮発性メモリ内の未送信画像リストにより確認する。このステップＳ２１８で未送信画像リストがあると判定したら、Ｙｅｓ側へ進んでステップＳ２１９で未送信画像リストの先頭から送信を開始すると同時に送信を終了した順に未送信リストからの削除を行なう。ステップＳ２１２に戻ってステップＳ２１２〜ステップＳ２１７の処理を繰り返し行なう。
【０２０９】
ステップＳ２１７で通信リンクが確立していないと判定したら、Ｎｏ側へ進んでステップＳ２２０でプローブ信号の送信により相手先が見つかったかどうかを判定する。プローブ信号の送信により相手先が見つかったと判定したらＹｅｓ側へ進んでステップＳ２２１で通信リンクの確立処理を行なって確立が成功したかどうかを判定する。このステップＳ２２２で通信プロトコルにしたがって相手先とのニゴシエーションにより通信が確立したと判定したら、確立成功したと判定してＹｅｓ側へ進んでステップＳ２１８、ステップＳ２１９の処理を順に行なう。
【０２１０】
ステップＳ２２２で通信が確立していないと判定したらＮｏ側へ進んでステップＳ２２３で通信相手との間でニゴシエーションを行なわせたままステップＳ２１２に戻る。
【０２１１】
このような処理が行なわれると、図２０で説明した様に自宅のパーソナルコンピュータ内にバックアップ用の画像ファイルが確実に記録される様になる。
【０２１２】
また撮影の途中までは電源オフ時送信モードによるデータの送信を‘送信しない’と設定しておいて、帰宅途中に‘送信する’側に切り替えても同様にバックアップの画像ファイルが自宅のパソコン内に確実に記録される。
【０２１３】
以上説明した様に、データを送信する送信機能を備えた携帯機器において、無駄な電力の消費が抑制されるとともに、ユーザに意識させずにバックアップ用のデータが確実に作成される携帯機器が実現する。
【０２１４】
デジタルカメラの中には、撮影光学系と撮像素子とを備えて画像データを生成するレンズユニットが着脱自在に装着され、そのレンズユニットから画像データを受け取ってカメラ本体で画像処理を行なってメモリカードへの記録を行なうものもある。
【０２１５】
図２２は、撮影光学系と撮像素子とを備えて画像データを生成するレンズユニット２ａと、そのレンズユニット２ａが着脱自在に装着されそのレンズユニット２ａから画像データを受け取って画像処理を行なう本体ユニット２ｂとを具備するデジタルカメラを示す図である。
【０２１６】
図２２に示すようにカメラ本体２ｂの中央には、多数のマウント接点を持つレンズマウント２０ｂが設けられ、またレンズユニット２ａ側にも同様のマウント部２０ａが設けられている。双方のマウント接点の位置がそれぞれあうように回動操作が行なわれて図中の一点鎖線に沿ってレンズユニット１ａがカメラ本体１ｂに機械的に装着されると、多数のマウント接点同士が各々接続されるとレンズユニット２ａとカメラ本体２ｂとが電気的にも接続される。また、カメラ本体２ｂのボディ上面にはレリーズ釦２３ｂとモードダイヤル２４ｂが配備されており、そのモードダイヤル２４ｂにより撮影モードが選択されレンズユニット２ａがカメラ本体２ｂに装着された状態にあるときにそのレリーズ釦２３ｂが押されるとこのカメラシステム２により撮影が行なわれる。そのモードダイヤル２４ｂの中には、撮影モード以外に再生モードなどの項目もあり、回転操作によりそれらの項目の中の一つが選択される。
【０２１７】
なお本実施形態ではこのモードダイヤル２４ｂが電源スイッチも兼ねている例が示されている。またカメラ本体２ｂの前面にはＡＷＢセンサ２１ｂや閃光発光窓２２ｂなども備えられている。さらにこのカメラシステム２は、カメラ本体２ｂ側にバッテリが配備されていてそのバッテリからカメラ本体に電力が供給されるとともに図２２に示すマウント接点の中の電力用接点を通してレンズユニット２ａにも電力が供給される構成になっている。その電力用の接点を通してカメラ本体２ｂのバッテリの電力がレンズユニット２ａに供給されると、レンズユニット１ａとカメラ本体１ｂとの双方がともに動作状態になる。
【０２１８】
本実施形態のデジタルカメラ２にも電源オフ時送信モードが搭載されており、電源スイッチを兼ねるモードダイヤル２４ｂがオフ側に操作されたら、図４に示した様な設定が行なわれていたら電源オフ時送信モードが起動される様になっている。
【０２１９】
さらに、本実施形態では、レンズユニットの取外し時においても、電源オフ時送信モードが起動される様になっている。
【０２２０】
ここで、図２２に示すデジタルカメラの動作を説明する。
【０２２１】
図２３はレンズユニット１ａがカメラ本体１ｂに装着された状態にあるときの電気系統の構成を示すブロック図である。
【０２２２】
まず図２３を参照してレンズユニット２ａとカメラ本体１ｂの内部の構成を説明する。
【０２２３】
図２３の上方側にはレンズユニット２ａの構成が、また図２３の下方側にはカメラ本体２ｂの構成がそれぞれ示されている。
【０２２４】
まず、レンズユニット２ａ側の構成を説明する。
【０２２５】
本実施形態のカメラシステム２を構成するレンズユニット２ａは、カメラ本体２ｂに装着されてカメラ本体２ｂ側のバッテリＢｔから電力の供給を受けて動作するものである。
【０２２６】
この例では、レンズユニット２ａが操作されたときにＧＮＤ信号（図２３の中央右側）がカメラ本体２ｂ側の電源制御部２４１ｂに供給されることによりＩ／Ｏ部２４３ｂが書き換えられて本体ＣＰＵ２００ｂがレンズユニット２ａの装着を検出する構成になっている。このとき電源制御部２４１ｂが、カメラ本体２ｂの各部に電力の供給を行なってカメラ本体２ｂを動作状態にする。
【０２２７】
さらにこのときには本体側のバッテリＢｔからの電力がマウント接点２０ａ、２０ｂを介してレンズユニット２ａ側のＤＣ／ＤＣコンバータ（以降ＤＣ／ＤＣという）２４１ａにも供給されＤＣ／ＤＣ２４１ａから電源制御部２４０ａに電力が供給され電源制御部２４０ａが動作状態になる。ここで、レンズユニット側の電源制御部２４０ａにもＩ／Ｏ部２４３ｂからレンズユニット２ａがカメラ本体２ｂに装着されたことが伝えられレンズユニット側の電源制御部２４０ａの制御の下にＤＣ／ＤＣ２４２ｂから各部に電力が供給されレンズユニット２ａが動作状態になる。また、本実施形態のカメラ本体２ｂには、前述した送信管理データ制御部２９０ｂと送信モジュールＴｘＥとが配備されていて、図１、図６に示すデジタルカメラが有する機能と同じ機能が搭載されている。
【０２２８】
この電源制御部２４１ｂが、本発明にいう電力制御部にあたる。本実施形態では、レンズユニット２ａがカメラ本体２ｂから取り外されようとして電源制御部２４１ｂによりＩ／Ｏ２４３ｂが書き換えられたときに送信部ＴｘＥがそのＩ／Ｏ２４３ｂの書き変わりを検知して電源オフ時送信モードへ移行する。
【０２２９】
ここでレンズユニット２ａがカメラ本体２ｂに装着されている状態にあるときの撮影処理等を簡単に説明しておく。
【０２３０】
図２３に示すようにカメラ本体２ｂに装着されたレンズユニット２ａには、撮影光学系２１ａと撮像素子（ここではＣＣＤ固体撮像素子が用いられているので以下ＣＣＤという）２２ａとが備えられている。その撮影光学系２１ａ内には撮影レンズや絞りなどが配備されている。その撮影光学系２１ａ内の撮影レンズで被写体をＣＣＤ２２ａに結像させて、ＣＣＤ２２ａで画像データの生成を行なっている。このＣＣＤ２２ａで生成した画像データをアナログ信号処理部２３ａに出力してそのアナログ信号処理部２３ａでノイズ低減の処理などを行なった後、後段のＡ／Ｄ部２４ａでアナログ信号の画像信号をデジタル信号の画像信号に変換している。さらにデジタル信号に変換された画像信号が高速シリアルドライバ２５ａに供給される。
【０２３１】
この高速シリアルドライバ２５ａによってカメラ本体１ｂに供給される画像信号の中には、モードダイヤル２４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦２３ｂの操作により得られる静止画像を表す画像信号（以下静止画信号という）やその撮影モードの中の動画モードが選択された状態にあるときにレリーズ釦２３ｂの操作により得られる動画を表す画像信号（以下動画信号という）の３通りの画像信号がある。これらの画像信号のうちのいずれかがカメラ本体２ｂ側からの要求によって高速シリアルドライバ２５ａによりカメラ本体２ｂ側に送信される。
【０２３２】
一方、Ａ／Ｄ部２４ａでデジタル信号に変換された画像信号はＡ／Ｄ部２４ａの後段に設けられた積算回路２６ａにも供給されている。この積算回路２６ａはＡＦ機能（以下ＡＦという）およびＡＥ機能（以下ＡＥという）を果たすものであって、この積算回路２６ａによってＡＥ機能を働かせるための被写界輝度の測定やＡＦ機能を働かせるための被写体距離の測定が行なわれている。その積算回路２６ａで測定された被写体距離や被写界輝度がデータバスｂｕｓを介して絞り／フォーカス／ズーム制御部２７ａに供給され、その絞り／フォーカス／ズーム制御部２７ａによって撮影光学系内の絞りの径が調節されたり、撮影光学系内のフォーカスレンズの位置が調節されたりする。このようにしておくとこのレンズユニット２ａが備える撮影光学系内のレンズが異なる被写体に向けられる度にＡＦやＡＥが働きすぐにピントや輝度の調整が行なわれてピントの合った被写体を表す画像データがＣＣＤ２２ａで生成されＣＣＤ２２ａから出力される。  
【０２３３】
これらのＣＣＤ２２ａ、アナログ信号処理部２３ａ、Ａ／Ｄ部２４ａ、積算回路２６ａはタイミングジェネレータ（以下ＴＧという）２８ａからのタイミング信号に同期して動作するものであり、そのＴＧ２８ａの動作はヘッドＣＰＵ２９ａに制御されている。このヘッドＣＰＵ２９ａはシステムメモリ２９０ａ内に格納されているプログラムの手順にしたがってＴＧ２８ａや絞り／フォーカス／ズーム制御部２７ａなどの制御を行なうものであって、そのシステムメモリ２９０ａ内には、初期化の処理手順やＡＥやＡＦの処理手順や高速シリアルドライバ２５ａ等での通信に関する処理手順などを示すソフトウエア等が格納されている。また、カメラ本体２ｂ側からの指示を受け取るための３線シリアルドライバ２５０ａやレンズユニット２ａのコンフィギュレーション情報などが記憶されている不揮発性メモリ（ＥＥＰＲＯＭ等）２９１ａも配備されている。
【０２３４】
以上がレンズユニット２ａの構成である。
【０２３５】
次にカメラ本体２ｂの構成を説明する。
【０２３６】
カメラ本体２ｂの動作はレンズユニット２ａと同様に、本体側のＣＰＵ２００ｂにより統括的に制御されている。このカメラ本体２ｂ側には、処理の手順を示すソフトウエアなどが格納されているシステムメモリ２０１ｂやコンフィギュレーションが記録される不揮発性メモリ２０２ｂなどが配備されている。
【０２３７】
その本体ＣＰＵ２００ｂの制御の下にレンズユニット２ａ側から高速シリアルドライバによって送信されてくる画像信号が、本体側の高速シリアルドライバ２５０ｂにより受信される。
【０２３８】
本実施形態では、前述したようにレンズユニット２ａからスルー画信号、静止画信号、動画信号の３種類の画像信号のうちのいずれかが送信されてくる。例えばスルー画信号であればそのスルー画信号がフレームメモリ２０４ｂに記憶され、ＬＣＤ制御部２０５ｂによりそのフレームメモリ２０４ｂに記憶されているスルー画信号が読み出されてＬＣＤ２０５０ｂのＬＣＤパネル上にスルー画信号に基づくスルー画が表示される。ＬＣＤ制御部２０５ｂにはＯＳＤ（Ｏｎ  Ｓｃｒｅｅｎ  Ｄｉｓｐｌａｙ）２０５１ｂ側からの情報も供給されており、このＬＣＤ２０６ｂの表示画面上には、スルー画とともに選択メニューなども表示されるようになっている。
【０２３９】
また、カメラ本体２ｂには、上記のような画像信号の処理を行なう部分のほか、ＯＳＤ２０５１ｂを経由して表示画面上に時刻や日付情報を表示するためのデータを作成するタイマＴＭやカレンダ時計ＣＡＬなどや外部機器との接続用のＵＳＢドライバ２７０ｂおよびＵＳＢコネクタ２７１ｂや操作指示を与えるスイッチ／ＬＥＤ等２８０ｂなども配備されている。このスイッチの操作指示などはＩ／Ｏ２８０ｂを介して本体ＣＰＵ２００ｂに供給され、本体ＣＰＵ２００ｂではその操作指示に応じた処理が行なわれる。ただしレリーズ釦２３ｂは本体ＣＰＵ２００ｂおよびヘッドＣＰＵ２９ａの双方の割り込み端子に直接接続されており、レリーズ釦２３ｂが押されたときには、双方のＣＰＵ１９ａ，１００ｂに割り込みがかけられて静止画処理プログラムもしくは動画プログラムが起動されるようになっている。
【０２４０】
図２４は、ヘッド側と本体側との双方のマウント部が備える多数の接点の構成を説明する図である。図２４に示す様に、レンズユニット２ａ側のマウント部２０ａが本体側のマウント部２０ｂに挿入され回動されることによってレンズユニット２ａがカメラ本体２ｂに装着される、いわゆるバヨネットマウントの様な構造になっている。
【０２４１】
図２５は、回動操作を説明するために双方の接点を平面的に示した図である。
【０２４２】
図２５に示す様に、例えばグランドＧＮＤに接続されている接点が右から２番目の接点であったとすると、レンズユニット２ａがカメラ本体２ｂに完全に装着されたときには双方の接点が完全に接触してＧＮＤ信号がカメラ本体側の本体ＣＰＵ２００ｂに供給される。本体ＣＰＵ２００ｂは、Ｉ／Ｏ部２４３ｂが書き換えられたことを検知してレンズユニット２ａの装着を検知する。前述した様にカメラ本体からレンズユニットにも電力が供給され、レンズユニット２ａ、カメラ本体２ｂとも動作状態になる。
【０２４３】
こうして動作状態になって撮影が行なわれた後、レンズユニット２ａがカメラ本体２ｂから取り外されようとしたときに本体側の電源制御部２４１ｂが受け取っていたＧＮＤ信号がハイ側に切り替わってＩ／Ｏ２４３ｂが書き換えられたら、本体ＣＰＵ２００ｂおよび電源制御部２４０ｂ、さらに送信部ＴｘＥ内の無線制御部と送信管理データ制御部２９０ｂそれぞれによってＩ／Ｏ２４３ｂの書き換わりが検知され電源オフ時送信モードが起動されて送信部ＴｘＥによって送信が開始される。
【０２４４】
また本実施形態では、本体ユニット２ｂからレンズユニット２ａが取り外された状態でデータ送信を行なっている途中で再度レンズユニット２ａがカメラ本体２ｂに装着されたら装着されたことを受けて、送信部ＴｘＥによってデータの送信が停止される様にもなっている。
【０２４５】
図２６は、図４の機能と同様の機能をカメラ本体側に持たせたときにカメラ本体が備える表示画面上にセットアップメニューを表示させた場合の画面を示す図である。
【０２４６】
図２６（ｂ）の最後の行に示されている様にヘッド分離動作で送信が設定されているときにはレンズユニットが取り外されたときに電源オフ時送信モードに移行して画像ファイルの送信が行なわれる。このようにしても良い。
【０２４７】
以上説明した様に、データを送信する送信機能を備えた携帯機器において、無駄な電力の消費が抑制されるとともに、ユーザに意識させずにバックアップ用のデータが確実に外部の記録部に記録される携帯機器が実現する。
【０２４８】
なお本実施形態ではデジタルカメラを例に挙げたが、他のいかなる携帯機器にも本発明は適用される。
【図面の簡単な説明】
【０２４９】
【図１】本発明の携帯機器の一実施形態であるデジタルカメラの外観を示す図である。
【図２】図１に示すデジタルカメラ１の内部の構成を示すブロック図である。
【図３】ＣＰＵ１１０および電源制御部１９０が行なう電源オフ時送信モードにおける処理の手順を示すフローチャートである。
【図４】図３に示すステップＳ３０６、ステップＳ３０７、ステップＳ３０８、ステップＳ３０９の４つの異なる移行設定のうちのいずれかをユーザが設定しようとするときに表示される画面を示す図である。
【図５】図４に示す様に電源オフ時動作が‘確認（送信）’に設定された後、操作により送信モードが選択されデータの送信が行なわれているときに表示画面上に表示される画面の切り替わり状態を説明する図である。
【図６】第２の実施形態を説明する図である。
【図７】第２の実施形態を説明する図である。
【図８】ＣＰＵ１１０が行なう電源オフ時送信モードの完了通知処理の手順を示すフローチャートである。
【図９】ＣＰＵ１１０と電源制御部１９０とＯＳＤ１０５１とＬＣＤ制御部１０５とＬＣＤ１２０とで構成される状態移行通知部の処理を説明する図である。
【図１０】図３に示すステップＳ３１５の処理の詳細を説明する図である。
【図１１】送信部Ｔｘが備える無線制御部Ｔｘ２が電源オフ時に行なう省電力モードによる送信処理を説明する図である。
【図１２】送信部Ｔｘが備える無線制御部Ｔｘ２が電源オフ時に行なう省電力モードによる送信処理を説明する図である。
【図１３】アンテナ駆動部を備えたデジタルカメラを説明する図である。
【図１４】図１３のアンテナ駆動部を備えたデジタルカメラの外観を示す図である。
【図１５】図１４とは別の構成により、アンテナの指向性を調節することができる様にした場合の例を示す図である。
【図１６】さらなる変形例を示す図である。
【図１７】無線制御部ＴｘＤ２が有する通信機能制限の機能を説明する図である。
【図１８】無線制御部ＴｘＤ２が有する別の通信機能制限の機能を説明する図である。
【図１９】無線制御部が有する機能制限のさらに別の機能を説明する図である。
【図２０】本発明のデジタルカメラを持って撮影に出かけた場所周辺の地理を説明する図である。
【図２１】図２０に示す撮影現場で撮影を行なったときのデジタルカメラ内部のＣＰＵと電源制御部とが行なう撮影処理および送信モードによるデータの送信の手順を示すフローチャートである。
【図２２】撮影光学系と撮像素子とを備えて画像データを生成するレンズユニット２ａと、そのレンズユニット２ａが着脱自在に装着されそのレンズユニット２ａから画像データを受け取って画像処理を行なう本体ユニット２ｂとを具備するデジタルカメラを示す図である。
【図２３】レンズユニット１ａがカメラ本体１ｂに装着された状態にあるときの電気系統の構成を示すブロック図である。
【図２４】ヘッド側と本体側との双方のマウント部が備える多数の接点の構成を説明する図である。
【図２５】回動操作を説明するために双方の接点を平面的に示した図である。
【図２６】図４の機能と同様の機能をカメラ本体側に持たせたときにカメラ本体が備える表示画面上にセットアップメニューを表示させた場合の画面を示す図である。
【符号の説明】
【０２５０】
１  １Ａ  １Ｂ  １Ｃ  １Ｄ  ２  デジタルカメラ
１９    電源スイッチ
１０１    撮像部
１０２    信号処理部
１０３    Ａ／Ｄ部
１０４    フレームメモリ
１０５    ＬＣＤ制御部
１０５１    ＯＳＤ
１０６    圧縮部
１０７    カードＩ／Ｆ
１０８  メモリカードスロット
１０９      アンテナ駆動部
１１３    送信データ管理制御部
１２０    ＬＣＤ
Ｔｘ  ＴｘＡ    ＴｘＤ  ＴｘＥ  送信部
【図１】
2007228143.tif 000003
【図２】
2007228143.tif 000004
【図３】
2007228143.tif 000005
【図４】
2007228143.tif 000006
【図５】
2007228143.tif 000007
【図６】
2007228143.tif 000008
【図７】
2007228143.tif 000009
【図８】
2007228143.tif 000010
【図９】
2007228143.tif 000011
【図１０】
2007228143.tif 000012
【図１１】
2007228143.tif 000013
【図１２】
2007228143.tif 000014
【図１３】
2007228143.tif 000015
【図１４】
2007228143.tif 000016
【図１５】
2007228143.tif 000017
【図１６】
2007228143.tif 000018
【図１７】
2007228143.tif 000019
【図１８】
2007228143.tif 000020
【図１９】
2007228143.tif 000021
【図２０】
2007228143.tif 000022
【図２１】
2007228143.tif 000023
【図２２】
2007228143.tif 000024
【図２３】
2007228143.tif 000025
【図２４】
2007228143.tif 000026
【図２５】
2007228143.tif 000027
【図２６】
2007228143.tif 000028